(57)【特許請求の範囲】
【請求項１】
画像処理装置と、
前記画像処理装置と通信可能な状態と通信不可能な状態とをとることが可能な第１の操作パネルと、
前記画像処理装置に固定された第２の操作パネルと、
前記画像処理装置と通信可能な状態にある第１の操作パネル、および前記第２の操作パネルのうち少なくとも一方を通じて、前記画像処理装置に関する各種の操作を受け付ける操作受付手段と、
前記第１の操作パネルが前記画像処理装置と通信不可能な状態にある場合に、前記画像処理装置の操作に関する画面を、前記第２の操作パネルに表示する第１の表示手段と、
前記第１の操作パネルが前記画像処理装置と通信可能な状態にある場合に、前記画像処理装置の操作に関する画面であって互いに関連する画面を、前記第１の操作パネルと前記第２の操作パネルとの各々に表示する第２の表示手段とを備えるとともに、
前記第２の表示手段は、複数階層からなる情報の上位階層に相当する情報を前記第１の操作パネルと前記第２の操作パネルのうちの一方の操作パネルに表示し、前記複数階層からなる情報の下位階層に相当する情報を他方の操作パネルに表示する、画像処理システム。
【請求項２】
前記第２の表示手段は、複数階層からなる情報の上位階層に相当する情報を前記第１の操作パネルに表示し、前記複数階層からなる情報の下位階層に相当する情報を前記第２の操作パネルに表示する、請求項１に記載の画像処理システム。
【請求項３】
前記第２の表示手段は、複数階層からなる情報の上位階層に相当する情報を前記第２の操作パネルに表示し、前記複数階層からなる情報の下位階層に相当する情報を前記第１の操作パネルに表示する、請求項１に記載の画像処理システム。
【請求項４】
画像処理装置と、
前記画像処理装置と通信可能な状態と通信不可能な状態とをとることが可能な第１の操作パネルと、
前記画像処理装置に固定された第２の操作パネルと、
前記画像処理装置と通信可能な状態にある第１の操作パネル、および前記第２の操作パネルのうち少なくとも一方を通じて、前記画像処理装置に関する各種の操作を受け付ける操作受付手段と、
前記第１の操作パネルが前記画像処理装置と通信不可能な状態にある場合に、前記画像処理装置の操作に関する画面を、前記第２の操作パネルに表示する第１の表示手段と、
前記第１の操作パネルが前記画像処理装置と通信可能な状態にある場合に、前記画像処理装置の操作に関する画面であって互いに関連する画面を、前記第１の操作パネルと前記第２の操作パネルとの各々に表示する第２の表示手段とを備えるとともに、
前記第２の表示手段は、補助情報を有する項目を前記第１の操作パネルと前記第２の操作パネルのうちの一方の操作パネルに表示した場合において、前記補助情報を有する項目の選択を当該一方の操作パネルを通じて前記操作受付手段にて受け付けたときは、前記補助情報を他方の操作パネルに表示する、画像処理システム。
【請求項５】
前記第２の表示手段が、補助情報を有する項目を前記第１の操作パネルに表示した場合において、前記補助情報を有する項目の選択を、前記第１の操作パネルを通じて前記操作受付手段にて受け付けたときは、前記第２の表示手段は前記補助情報を前記第２の操作パネルに表示する、請求項４に記載の画像処理システム。
【請求項６】
前記第２の表示手段が、補助情報を有する項目を前記第２の操作パネルに表示した場合において、前記補助情報を有する項目の選択を、前記第２の操作パネルを通じて前記操作受付手段にて受け付けたときは、前記第２の表示手段は前記補助情報を前記第１の操作パネルに表示する、請求項４に記載の画像処理システム。
【請求項７】
画像処理装置と、
前記画像処理装置と通信可能な状態と通信不可能な状態とをとることが可能な第１の操作パネルと、
前記画像処理装置に固定された第２の操作パネルと、
前記画像処理装置と通信可能な状態にある第１の操作パネル、および前記第２の操作パネルのうち少なくとも一方を通じて、前記画像処理装置に関する各種の操作を受け付ける操作受付手段と、
前記第１の操作パネルが前記画像処理装置と通信不可能な状態にある場合に、前記画像処理装置の操作に関する画面を、前記第２の操作パネルに表示する第１の表示手段と、
前記第１の操作パネルが前記画像処理装置と通信可能な状態にある場合に、前記画像処理装置の操作に関する画面であって互いに関連する画面を、前記第１の操作パネルと前記第２の操作パネルとの各々に表示する第２の表示手段とを備えるとともに、
前記第１の操作パネルを通じて前記操作受付手段にて選択を受け付けた項目に関連する情報を、前記第２の表示手段が前記第２の操作パネルに表示する第１の表示状態と、前記第２の操作パネルを通じて前記操作受付手段にて選択を受け付けた項目に関連する情報を、前記第２の表示手段が前記第１の操作パネルに表示する第２の表示状態との間で、前記第２の表示手段による表示状態を決定する決定手段をさらに備える、画像処理システム。
【請求項８】
前記第１の操作パネルと前記第２の操作パネルとの大きさを比較する第１の比較手段をさらに備え、
前記第１の比較手段にて前記第１の操作パネルのサイズが前記第２の操作パネルのサイズよりも大きいと判断した場合、前記決定手段は前記第２の表示手段による表示状態を前記第１の表示状態に決定し、前記第１の比較手段にて前記第２の操作パネルのサイズが前記第１の操作パネルのサイズよりも大きいと判断した場合、前記決定手段は前記第２の表示手段による表示状態を前記第２の表示状態に決定する、請求項７に記載の画像処理システム。
【請求項９】
前記第１の操作パネルと前記第２の操作パネルとの画素数を比較する第２の比較手段をさらに備え、
前記第２の比較手段にて前記第１の操作パネルの方が前記第２の操作パネルよりも画素数が大きいと判断した場合、前記決定手段は前記第２の表示手段による表示状態を前記第１の表示状態に決定し、前記第２の比較手段にて前記第２の操作パネルの方が前記第１の操作パネルよりも画素数が大きいと判断した場合、前記決定手段は前記第２の表示手段による表示状態を前記第２の表示状態に決定する、請求項７または８に記載の画像処理システム。
【請求項１０】
前記決定手段は、ユーザーから受け付けた指示に従って表示状態を決定する、請求項７〜９のいずれかに記載の画像処理システム。
【請求項１１】
第１の操作パネルと通信可能な状態と通信不可能な状態とをとることが可能な画像処理装置であって、
前記画像処理装置に固定された第２の操作パネルと、
前記画像処理装置と通信可能な状態にある第１の操作パネル、および前記第２の操作パネルのうち少なくとも一方を通じて、前記画像処理装置に関する各種の操作を受け付ける操作受付部と、
前記第１の操作パネルが前記画像処理装置と通信不可能な状態にある場合に、前記画像処理装置の操作に関する画面を、前記第２の操作パネルに表示する第１の表示手段と、
前記第１の操作パネルが前記画像処理装置と通信可能な状態にある場合に、前記画像処理装置の操作に関する画面であって互いに関連する画面を、前記第１の操作パネルと前記第２の操作パネルとの各々に表示する第２の表示手段とを備えるとともに、
前記第２の表示手段は、複数階層からなる情報の上位階層に相当する情報を前記第１の操作パネルと前記第２の操作パネルのうちの一方の操作パネルに表示し、前記複数階層からなる情報の下位階層に相当する情報を他方の操作パネルに表示する、画像処理装置。
【請求項１２】
前記第２の表示手段は、複数階層からなる情報の上位階層に相当する情報を前記第１の操作パネルに表示し、前記複数階層からなる情報の下位階層に相当する情報を前記第２の操作パネルに表示する、請求項１１に記載の画像処理装置。
【請求項１３】
前記第２の表示手段は、複数階層からなる情報の上位階層に相当する情報を前記第２の操作パネルに表示し、前記複数階層からなる情報の下位階層に相当する情報を前記第１の操作パネルに表示する、請求項１１に記載の画像処理装置。
【請求項１４】
第１の操作パネルと通信可能な状態と通信不可能な状態とをとることが可能な画像処理装置であって、
前記画像処理装置に固定された第２の操作パネルと、
前記画像処理装置と通信可能な状態にある第１の操作パネル、および前記第２の操作パネルのうち少なくとも一方を通じて、前記画像処理装置に関する各種の操作を受け付ける操作受付部と、
前記第１の操作パネルが前記画像処理装置と通信不可能な状態にある場合に、前記画像処理装置の操作に関する画面を、前記第２の操作パネルに表示する第１の表示手段と、
前記第１の操作パネルが前記画像処理装置と通信可能な状態にある場合に、前記画像処理装置の操作に関する画面であって互いに関連する画面を、前記第１の操作パネルと前記第２の操作パネルとの各々に表示する第２の表示手段とを備えるとともに、
前記第２の表示手段は、補助情報を有する項目を前記第１の操作パネルと前記第２の操作パネルのうちの一方の操作パネルに表示した場合において、前記補助情報を有する項目の選択を当該一方の操作パネルを通じて前記操作受付部にて受け付けたときは、前記補助情報を他方の操作パネルに表示する、画像処理装置。
【請求項１５】
前記第２の表示手段が、補助情報を有する項目を前記第１の操作パネルに表示した場合において、前記補助情報を有する項目の選択を、前記第１の操作パネルを通じて前記操作受付部にて受け付けたときは、前記第２の表示手段は前記補助情報を前記第２の操作パネルに表示する、請求項１４に記載の画像処理装置。
【請求項１６】
前記第２の表示手段が、補助情報を有する項目を前記第２の操作パネルに表示した場合において、前記補助情報を有する項目の選択を、前記第２の操作パネルを通じて前記操作受付部にて受け付けたときは、前記第２の表示手段は前記補助情報を前記第１の操作パネルに表示する、請求項１４に記載の画像処理装置。
【請求項１７】
第１の操作パネルと通信可能な状態と通信不可能な状態とをとることが可能な画像処理装置であって、
前記画像処理装置に固定された第２の操作パネルと、
前記画像処理装置と通信可能な状態にある第１の操作パネル、および前記第２の操作パネルのうち少なくとも一方を通じて、前記画像処理装置に関する各種の操作を受け付ける操作受付部と、
前記第１の操作パネルが前記画像処理装置と通信不可能な状態にある場合に、前記画像処理装置の操作に関する画面を、前記第２の操作パネルに表示する第１の表示手段と、
前記第１の操作パネルが前記画像処理装置と通信可能な状態にある場合に、前記画像処理装置の操作に関する画面であって互いに関連する画面を、前記第１の操作パネルと前記第２の操作パネルとの各々に表示する第２の表示手段とを備えるとともに、
前記第１の操作パネルを通じて前記操作受付部にて選択を受け付けた項目に関連する情報を、前記第２の表示手段が前記第２の操作パネルに表示する第１の表示状態と、前記第２の操作パネルを通じて前記操作受付部にて選択を受け付けた項目に関連する情報を、前記第２の表示手段が前記第１の操作パネルに表示する第２の表示状態との間で、前記第２の表示手段による表示状態を決定する決定手段をさらに備える、画像処理装置。
【請求項１８】
前記第１の操作パネルと前記第２の操作パネルとの大きさを比較する第１の比較手段をさらに備え、
前記第１の比較手段にて前記第１の操作パネルのサイズが前記第２の操作パネルのサイズよりも大きいと判断した場合、前記決定手段は前記第２の表示手段による表示状態を前記第１の表示状態に決定し、前記第１の比較手段にて前記第２の操作パネルのサイズが前記第１の操作パネルのサイズよりも大きいと判断した場合、前記決定手段は前記第２の表示手段による表示状態を前記第２の表示状態に決定する、請求項１７に記載の画像処理装置。
【請求項１９】
前記第１の操作パネルと前記第２の操作パネルとの画素数を比較する第２の比較手段をさらに備え、
前記第２の比較手段にて前記第１の操作パネルの方が前記第２の操作パネルよりも画素数が大きいと判断した場合、前記決定手段は前記第２の表示手段による表示状態を前記第１の表示状態に決定し、前記第２の比較手段にて前記第２の操作パネルの方が前記第１の操作パネルよりも画素数が大きいと判断した場合、前記決定手段は前記第２の表示手段による表示状態を前記第２の表示状態に決定する、請求項１７または１８に記載の画像処理装置。
【請求項２０】
前記決定手段は、ユーザーから受け付けた指示に従って表示状態を決定する、請求項１７〜１９のいずれかに記載の画像処理装置。
【請求項２１】
第２の操作パネルを備えた画像処理装置のコンピュータに実行させる制御プログラムであって、
前記第２の操作パネル、および前記第２の操作パネルと異なる操作パネルであって前記画像処理装置と通信可能な状態にある第１の操作パネルのうち少なくとも一方を通じて、前記画像処理装置に関する各種の操作を受け付ける操作受付ステップと、
前記第１の操作パネルが前記画像処理装置と通信不可能な状態にある場合に、前記画像処理装置の操作に関する画面を、前記第２の操作パネルに表示する第１の表示ステップと、
前記第１の操作パネルが前記画像処理装置と通信可能な状態にある場合に、前記画像処理装置の操作に関する画面であって互いに関連する画面を、前記第１の操作パネルと前記第２の操作パネルとの各々に表示する第２の表示ステップと、を前記コンピュータに実行させるとともに、
前記第２の表示ステップにおいて、複数階層からなる情報の上位階層に相当する情報を前記第１の操作パネルと前記第２の操作パネルのうちの一方の操作パネルに表示し、前記複数階層からなる情報の下位階層に相当する情報を他方の操作パネルに表示する、画像処理装置の制御プログラム。
【請求項２２】
前記第２の表示ステップにおいて、複数階層からなる情報の上位階層に相当する情報を前記第１の操作パネルに表示し、前記複数階層からなる情報の下位階層に相当する情報を前記第２の操作パネルに表示する、請求項２１に記載の画像処理装置の制御プログラム。
【請求項２３】
前記第２の表示ステップにおいて、複数階層からなる情報の上位階層に相当する情報を前記第２の操作パネルに表示し、前記複数階層からなる情報の下位階層に相当する情報を前記第１の操作パネルに表示する、請求項２１に記載の画像処理装置の制御プログラム。
【請求項２４】
第２の操作パネルを備えた画像処理装置のコンピュータに実行させる制御プログラムであって、
前記第２の操作パネル、および前記第２の操作パネルと異なる操作パネルであって前記画像処理装置と通信可能な状態にある第１の操作パネルのうち少なくとも一方を通じて、前記画像処理装置に関する各種の操作を受け付ける操作受付ステップと、
前記第１の操作パネルが前記画像処理装置と通信不可能な状態にある場合に、前記画像処理装置の操作に関する画面を、前記第２の操作パネルに表示する第１の表示ステップと、
前記第１の操作パネルが前記画像処理装置と通信可能な状態にある場合に、前記画像処理装置の操作に関する画面であって互いに関連する画面を、前記第１の操作パネルと前記第２の操作パネルとの各々に表示する第２の表示ステップと、を前記コンピュータに実行させるとともに、
前記第２の表示ステップにおいて、補助情報を有する項目を前記第１の操作パネルと前記第２の操作パネルのうちの一方の操作パネルに表示した場合において、前記補助情報を有する項目の選択を当該一方の操作パネルを通じて前記操作受付ステップにて受け付けたときは、前記補助情報を他方の操作パネルに表示する、画像処理装置の制御プログラム。
【請求項２５】
前記第２の表示ステップにおいて、補助情報を有する項目を前記第１の操作パネルに表示した場合において、前記補助情報を有する項目の選択を、前記第１の操作パネルを通じて前記操作受付ステップにて受け付けたときは、前記第２の表示ステップにおいて前記補助情報を前記第２の操作パネルに表示する、請求項２４に記載の画像処理装置の制御プログラム。
【請求項２６】
前記第２の表示ステップにおいて、補助情報を有する項目を前記第２の操作パネルに表示した場合において、前記補助情報を有する項目の選択を、前記第２の操作パネルを通じて前記操作受付ステップにて受け付けたときは、前記第２の表示ステップにおいて前記補助情報を前記第１の操作パネルに表示する、請求項２４に記載の画像処理装置の制御プログラム。
【請求項２７】
第２の操作パネルを備えた画像処理装置のコンピュータに実行させる制御プログラムであって、
前記第２の操作パネル、および前記第２の操作パネルと異なる操作パネルであって前記画像処理装置と通信可能な状態にある第１の操作パネルのうち少なくとも一方を通じて、前記画像処理装置に関する各種の操作を受け付ける操作受付ステップと、
前記第１の操作パネルが前記画像処理装置と通信不可能な状態にある場合に、前記画像処理装置の操作に関する画面を、前記第２の操作パネルに表示する第１の表示ステップと、
前記第１の操作パネルが前記画像処理装置と通信可能な状態にある場合に、前記画像処理装置の操作に関する画面であって互いに関連する画面を、前記第１の操作パネルと前記第２の操作パネルとの各々に表示する第２の表示ステップと、を前記コンピュータに実行させるとともに、
前記第１の操作パネルを通じて前記操作受付ステップにて選択を受け付けた項目に関連する情報を、前記第２の表示ステップにて前記第２の操作パネルに表示する第１の表示状態と、前記第２の操作パネルを通じて前記操作受付ステップにて選択を受け付けた項目に関連する情報を、前記第２の表示ステップにて前記第１の操作パネルに表示する第２の表示状態との間で、前記第２の表示ステップにおける表示状態を決定する決定ステップをさらに前記コンピュータに実行させる、画像処理装置の制御プログラム。
【請求項２８】
前記第１の操作パネルと前記第２の操作パネルとの大きさを比較する第１の比較ステップをさらに前記コンピュータに実行させ、
前記第１の比較ステップにて前記第１の操作パネルのサイズが前記第２の操作パネルのサイズよりも大きいと判断した場合、前記決定ステップにおいて前記第２の表示ステップにおける表示状態を前記第１の表示状態に決定し、前記第１の比較ステップにて前記第２の操作パネルのサイズが前記第１の操作パネルのサイズよりも大きいと判断した場合、前記決定ステップにおいて前記第２の表示ステップにおける表示状態を前記第２の表示状態に決定する、請求項２７に記載の画像処理装置の制御プログラム。
【請求項２９】
前記第１の操作パネルと前記第２の操作パネルとの画素数を比較する第２の比較ステップをさらに前記コンピュータに実行させ、
前記第２の比較ステップにて前記第１の操作パネルの方が前記第２の操作パネルよりも画素数が大きいと判断した場合、前記決定ステップにおいて前記第２の表示ステップにおける表示状態を前記第１の表示状態に決定し、前記第２の比較ステップにて前記第２の操作パネルの方が前記第１の操作パネルよりも画素数が大きいと判断した場合、前記決定ステップにおいて前記第２の表示ステップにおける表示状態を前記第２の表示状態に決定する、請求項２７または２８に記載の画像処理装置の制御プログラム。
【請求項３０】
前記決定ステップにおいて、ユーザーから受け付けた指示に従って表示状態を決定する、請求項２７〜２９のいずれかに記載の画像処理装置の制御プログラム。
【請求項３１】
表示部および画像処理装置と通信可能な通信部を備えた操作パネルのコンピュータに実行させる制御プログラムであって、
前記通信部が前記画像処理装置と通信可能な状態にある場合に、前記画像処理装置に関する各種の操作を受け付ける操作受付ステップと、
前記通信部が前記画像処理装置と通信可能な状態にある場合に、前記画像処理装置の操作に関する画面であって互いに関連する画面を、前記画像処理装置に固定された他の操作パネルと、前記表示部との各々に表示する第２の表示ステップと、を前記コンピュータに実行させるとともに、
前記第２の表示ステップにおいて、複数階層からなる情報の上位階層に相当する情報を前記操作パネルと前記他の操作パネルのうちの一方の操作パネルに表示し、前記複数階層からなる情報の下位階層に相当する情報を他方の操作パネルに表示する、操作パネルの制御プログラム。
【請求項３２】
前記第２の表示ステップにおいて、複数階層からなる情報の上位階層に相当する情報を前記操作パネルに表示し、前記複数階層からなる情報の下位階層に相当する情報を前記他の操作パネルに表示する、請求項３１に記載の操作パネルの制御プログラム。
【請求項３３】
前記第２の表示ステップにおいて、複数階層からなる情報の上位階層に相当する情報を前記他の操作パネルに表示し、前記複数階層からなる情報の下位階層に相当する情報を前記操作パネルに表示する、請求項３１に記載の操作パネルの制御プログラム。
【請求項３４】
表示部および画像処理装置と通信可能な通信部を備えた操作パネルのコンピュータに実行させる制御プログラムであって、
前記通信部が前記画像処理装置と通信可能な状態にある場合に、前記画像処理装置に関する各種の操作を受け付ける操作受付ステップと、
前記通信部が前記画像処理装置と通信可能な状態にある場合に、前記画像処理装置の操作に関する画面であって互いに関連する画面を、前記画像処理装置に固定された他の操作パネルと、前記表示部との各々に表示する第２の表示ステップと、を前記コンピュータに実行させるとともに、
前記第２の表示ステップにおいて、補助情報を有する項目を前記操作パネルと前記他の操作パネルのうちの一方の操作パネルに表示した場合において、前記補助情報を有する項目の選択を当該一方の操作パネルを通じて前記操作受付ステップにて受け付けたときは、前記補助情報を他方の操作パネルに表示する、操作パネルの制御プログラム。
【請求項３５】
前記第２の表示ステップにおいて、補助情報を有する項目を前記操作パネルに表示した場合において、前記補助情報を有する項目の選択を、前記操作パネルを通じて前記操作受付ステップにて受け付けたときは、前記第２の表示ステップにおいて前記補助情報を前記他の操作パネルに表示する、請求項３４に記載の操作パネルの制御プログラム。
【請求項３６】
前記第２の表示ステップにおいて、補助情報を有する項目を前記他の操作パネルに表示した場合において、前記補助情報を有する項目の選択を、前記他の操作パネルを通じて前記操作受付ステップにて受け付けたときは、前記第２の表示ステップにおいて前記補助情報を前記操作パネルに表示する、請求項３４に記載の操作パネルの制御プログラム。
【請求項３７】
表示部および画像処理装置と通信可能な通信部を備えた操作パネルのコンピュータに実行させる制御プログラムであって、
前記通信部が前記画像処理装置と通信可能な状態にある場合に、前記画像処理装置に関する各種の操作を受け付ける操作受付ステップと、
前記通信部が前記画像処理装置と通信可能な状態にある場合に、前記画像処理装置の操作に関する画面であって互いに関連する画面を、前記画像処理装置に固定された他の操作パネルと、前記表示部との各々に表示する第２の表示ステップと、を前記コンピュータに実行させるとともに、
前記操作パネルを通じて前記操作受付ステップにて選択を受け付けた項目に関連する情報を、前記第２の表示ステップにて前記他の操作パネルに表示する第１の表示状態と、前記他の操作パネルを通じて前記操作受付ステップにて選択を受け付けた項目に関連する情報を、前記第２の表示ステップにて前記操作パネルに表示する第２の表示状態との間で、前記第２の表示ステップにおける表示状態を決定する決定ステップをさらに前記コンピュータに実行させる、操作パネルの制御プログラム。
【請求項３８】
前記操作パネルと前記他の操作パネルとの大きさを比較する第１の比較ステップをさらに前記コンピュータに実行させ、
前記第１の比較ステップにて前記操作パネルのサイズが前記他の操作パネルのサイズよりも大きいと判断した場合、前記決定ステップにおいて前記第２の表示ステップにおける表示状態を前記第１の表示状態に決定し、前記第１の比較ステップにて前記他の操作パネルのサイズが前記操作パネルのサイズよりも大きいと判断した場合、前記決定ステップにおいて前記第２の表示ステップにおける表示状態を前記第２の表示状態に決定する、請求項３７に記載の操作パネルの制御プログラム。
【請求項３９】
前記操作パネルと前記他の操作パネルとの画素数を比較する第２の比較ステップをさらに前記コンピュータに実行させ、
前記第２の比較ステップにて前記操作パネルの方が前記他の操作パネルよりも画素数が大きいと判断した場合、前記決定ステップにおいて前記第２の表示ステップにおける表示状態を前記第１の表示状態に決定し、前記第２の比較ステップにて前記他の操作パネルの方が前記操作パネルよりも画素数が大きいと判断した場合、前記決定ステップにおいて前記第２の表示ステップにおける表示状態を前記第２の表示状態に決定する、請求項３７または３８に記載の操作パネルの制御プログラム。
【請求項４０】
前記決定ステップにおいて、ユーザーから受け付けた指示に従って表示状態を決定する、請求項３７〜３９のいずれかに記載の操作パネルの制御プログラム。
【発明の詳細な説明】
【技術分野】
【０００１】
本発明は画像処理システム、画像処理装置、画像処理装置の制御プログラム、および操作パネルの制御プログラムに関し、より特定的には、画像処理装置と通信可能な状態と通信不可能な状態とをとることが可能な第１の操作パネルと、画像処理装置に固定された第２の操作パネルとを備えた画像処理システム、画像処理装置、画像処理装置の制御プログラム、および操作パネルの制御プログラムに関する。
【背景技術】
【０００２】
近年、携帯情報端末が高機能化しており、個人がＰＣ（パーソナルコンピューター）の代わりに携帯情報端末を所有している。携帯情報端末では、電子化された文書を場所を選ばず自由に閲覧および編集することができる。携帯情報端末は、業務や生活の様々な場面で用いられるようになっている。
【０００３】
携帯情報端末の高機能化に伴い、携帯情報端末と画像形成装置との連携が求められている。具体的には、携帯情報端末内に記憶された文書を画像形成装置で印刷することや、携帯情報端末内の文書を画像形成装置に移動して画像形成装置内に蓄積し、複数のユーザーで共有することなどが求められている。また、携帯情報端末内に保存しているアドレス帳などのデータを利用して、画像形成装置で読み取った画像を、携帯情報端末のアドレス帳から指定した宛先に送信することや、画像形成装置で読み取った文書を携帯情報端末内に保存したりすることなども求められている。
【０００４】
携帯情報端末の中には、フリック、スワイプ、ピンチイン、またはピンチアウトなどのジェスチャーによる操作が可能なものがある。この種の携帯情報端末によれば、より直接的、より直感的な操作が可能である。一方で、ジェスチャーによる操作は、操作画面をなでたり払ったりする操作を含んでいるため、複数人が共用する画像形成装置のような機器では、ジェスチャーによる操作を嫌うユーザーもいる。
【０００５】
一方で、携帯情報端末が画像形成装置に装着されていない場合であっても、画像形成装置は、プリントジョブの実行状況やトナーのエンプティ状況、またはセットされている用紙の情報などをユーザーに伝える必要がある。このため、個人の所有する携帯情報端末を画像形成装置の操作パネルとして使用することがたとえ可能であったとしても、画像形成装置は、取り外しのできない固有の操作パネルを携帯情報端末とは別に有する必要がある。固有の操作パネルと携帯情報端末との２つの操作パネルを画像形成装置が有することで、階層化された２つの画面をそれぞれの操作パネルに同時に表示することができ、画面間の行き来をなくすことができる。また、画面サイズの制限により１画面に表示しきれない情報を２つの操作パネルに分割して表示することで、一度に情報を確認することができる。
【０００６】
２つの操作パネルを有する従来の画像形成装置が、たとえば下記特許文献１に開示されている。下記特許文献１では、複数の機能を有する複合機能端末装置において、標準的に装着する標準操作表示手段と、機能拡張時に装着する拡張操作表示手段とを連動可能に制御する制御手段を具備することを特徴とする複合機能端末装置が開示されている。
【先行技術文献】
【特許文献】
【０００７】
【特許文献１】特開平６−２５３０８４号公報
【発明の概要】
【発明が解決しようとする課題】
【０００８】
ところが、従来の技術では、２つの操作パネルの表示を連動させる前に、２つの操作パネルが連動した表示を行うよう画像形成装置を通じて操作者が指示する必要があった。複数人が共有する画像形成装置では、各操作者は、画像形成装置の操作パネルとして自分の携帯情報端末を用いようとする度に、２つの操作パネルが連動するよう指示する必要があり、操作者にとって煩わしかった。
【０００９】
また、２つの操作パネルが互いに接続を確立した場合に、それらが連動を開始しないので、操作者は２つの操作パネルが連動を開始したことに気づき難かった。
【００１０】
本発明は、上記課題を解決するためのものであり、その目的は、ユーザーの利便性を向上することのできる画像処理システム、画像処理装置、画像処理装置の制御プログラム、および操作パネルの制御プログラムを提供することである。
【課題を解決するための手段】
【００１１】
本発明の一の局面に従う画像処理システムは、画像処理装置と、画像処理装置と通信可能な状態と通信不可能な状態とをとることが可能な第１の操作パネルと、画像処理装置に固定された第２の操作パネルと、画像処理装置と通信可能な状態にある第１の操作パネル、および第２の操作パネルのうち少なくとも一方を通じて、画像処理装置に関する各種の操作を受け付ける操作受付手段と、第１の操作パネルが画像処理装置と通信不可能な状態にある場合に、画像処理装置の操作に関する画面を、第２の操作パネルに表示する第１の表示手段と、第１の操作パネルが画像処理装置と通信可能な状態にある場合に、画像処理装置の操作に関する画面であって互いに関連する画面を、第１の操作パネルと第２の操作パネルとの各々に表示する第２の表示手段とを備えるとともに、第２の表示手段は、複数階層からなる情報の上位階層に相当する情報を第１の操作パネルと第２の操作パネルのうちの一方の操作パネルに表示し、複数階層からなる情報の下位階層に相当する情報を他方の操作パネルに表示する。
【００１４】
上記画像処理システムにおいて好ましくは、第２の表示手段は、複数階層からなる情報の上位階層に相当する情報を第１の操作パネルに表示し、複数階層からなる情報の下位階層に相当する情報を第２の操作パネルに表示する。
上記画像処理システムにおいて好ましくは、第２の表示手段は、複数階層からなる情報の上位階層に相当する情報を第２の操作パネルに表示し、複数階層からなる情報の下位階層に相当する情報を第１の操作パネルに表示する。
【００１５】
本発明の他の局面に従う画像処理システムは、画像処理装置と、画像処理装置と通信可能な状態と通信不可能な状態とをとることが可能な第１の操作パネルと、画像処理装置に固定された第２の操作パネルと、画像処理装置と通信可能な状態にある第１の操作パネル、および第２の操作パネルのうち少なくとも一方を通じて、画像処理装置に関する各種の操作を受け付ける操作受付手段と、第１の操作パネルが画像処理装置と通信不可能な状態にある場合に、画像処理装置の操作に関する画面を、第２の操作パネルに表示する第１の表示手段と、第１の操作パネルが画像処理装置と通信可能な状態にある場合に、画像処理装置の操作に関する画面であって互いに関連する画面を、第１の操作パネルと第２の操作パネルとの各々に表示する第２の表示手段とを備えるとともに、第２の表示手段は、補助情報を有する項目を第１の操作パネルと第２の操作パネルのうちの一方の操作パネルに表示した場合において、補助情報を有する項目の選択を当該一方の操作パネルを通じて操作受付手段にて受け付けたときは、補助情報を他方の操作パネルに表示する。
上記画像処理システムにおいて好ましくは、第２の表示手段が、補助情報を有する項目を第２の操作パネルに表示した場合において、補助情報を有する項目の選択を、第２の操作パネルを通じて操作受付手段にて受け付けたときは、第２の表示手段は補助情報を第１の操作パネルに表示する。
上記画像処理システムにおいて好ましくは、第２の表示手段が、補助情報を有する項目を第２の操作パネルに表示した場合において、補助情報を有する項目の選択を、第２の操作パネルを通じて操作受付手段にて受け付けたときは、第２の表示手段は補助情報を第１の操作パネルに表示する。
【００１９】
本発明のさらに他の局面に従う画像処理システムは、画像処理装置と、画像処理装置と通信可能な状態と通信不可能な状態とをとることが可能な第１の操作パネルと、画像処理装置に固定された第２の操作パネルと、画像処理装置と通信可能な状態にある第１の操作パネル、および第２の操作パネルのうち少なくとも一方を通じて、画像処理装置に関する各種の操作を受け付ける操作受付手段と、第１の操作パネルが画像処理装置と通信不可能な状態にある場合に、画像処理装置の操作に関する画面を、第２の操作パネルに表示する第１の表示手段と、第１の操作パネルが画像処理装置と通信可能な状態にある場合に、画像処理装置の操作に関する画面であって互いに関連する画面を、第１の操作パネルと第２の操作パネルとの各々に表示する第２の表示手段とを備えるとともに、第１の操作パネルを通じて操作受付手段にて選択を受け付けた項目に関連する情報を、第２の表示手段が第２の操作パネルに表示する第１の表示状態と、第２の操作パネルを通じて操作受付手段にて選択を受け付けた項目に関連する情報を、第２の表示手段が第１の操作パネルに表示する第２の表示状態との間で、第２の表示手段による表示状態を決定する決定手段をさらに備える。
【００２０】
上記画像処理システムにおいて好ましくは、第１の操作パネルと第２の操作パネルとの大きさを比較する第１の比較手段をさらに備え、第１の比較手段にて第１の操作パネルのサイズが第２の操作パネルのサイズよりも大きいと判断した場合、決定手段は第２の表示手段による表示状態を第１の表示状態に決定し、第１の比較手段にて第２の操作パネルのサイズが第１の操作パネルのサイズよりも大きいと判断した場合、決定手段は第２の表示手段による表示状態を第２の表示状態に決定する。
【００２１】
上記画像処理システムにおいて好ましくは、第１の操作パネルと第２の操作パネルとの画素数を比較する第２の比較手段をさらに備え、第２の比較手段にて第１の操作パネルの方が第２の操作パネルよりも画素数が大きいと判断した場合、決定手段は第２の表示手段による表示状態を第１の表示状態に決定し、第２の比較手段にて第２の操作パネルの方が第１の操作パネルよりも画素数が大きいと判断した場合、決定手段は第２の表示手段による表示状態を第２の表示状態に決定する。
【００２２】
上記画像処理システムにおいて好ましくは、決定手段は、ユーザーから受け付けた指示に従って表示状態を決定する。
【００２３】
本発明のさらに他の局面に従う画像処理装置は、第１の操作パネルと通信可能な状態と通信不可能な状態とをとることが可能な画像処理装置であって、画像処理装置に固定された第２の操作パネルと、画像処理装置と通信可能な状態にある第１の操作パネル、および第２の操作パネルのうち少なくとも一方を通じて、画像処理装置に関する各種の操作を受け付ける操作受付部と、第１の操作パネルが画像処理装置と通信不可能な状態にある場合に、画像処理装置の操作に関する画面を、第２の操作パネルに表示する第１の表示手段と、第１の操作パネルが画像処理装置と通信可能な状態にある場合に、画像処理装置の操作に関する画面であって互いに関連する画面を、第１の操作パネルと第２の操作パネルとの各々に表示する第２の表示手段とを備えるとともに、第２の表示手段は、複数階層からなる情報の上位階層に相当する情報を第１の操作パネルと第２の操作パネルのうちの一方の操作パネルに表示し、複数階層からなる情報の下位階層に相当する情報を他方の操作パネルに表示する。
上記画像処理装置において好ましくは、第２の表示手段は、複数階層からなる情報の上位階層に相当する情報を第１の操作パネルに表示し、複数階層からなる情報の下位階層に相当する情報を第２の操作パネルに表示する。
上記画像処理装置において好ましくは、第２の表示手段は、複数階層からなる情報の上位階層に相当する情報を第２の操作パネルに表示し、複数階層からなる情報の下位階層に相当する情報を第１の操作パネルに表示する。
本発明のさらに他の局面に従う画像処理装置は、第１の操作パネルと通信可能な状態と通信不可能な状態とをとることが可能な画像処理装置であって、画像処理装置に固定された第２の操作パネルと、画像処理装置と通信可能な状態にある第１の操作パネル、および第２の操作パネルのうち少なくとも一方を通じて、画像処理装置に関する各種の操作を受け付ける操作受付部と、第１の操作パネルが画像処理装置と通信不可能な状態にある場合に、画像処理装置の操作に関する画面を、第２の操作パネルに表示する第１の表示手段と、第１の操作パネルが画像処理装置と通信可能な状態にある場合に、画像処理装置の操作に関する画面であって互いに関連する画面を、第１の操作パネルと第２の操作パネルとの各々に表示する第２の表示手段とを備えるとともに、第２の表示手段は、補助情報を有する項目を第１の操作パネルと第２の操作パネルのうちの一方の操作パネルに表示した場合において、補助情報を有する項目の選択を当該一方の操作パネルを通じて操作受付部にて受け付けたときは、補助情報を他方の操作パネルに表示する。
上記画像処理装置において好ましくは、第２の表示手段が、補助情報を有する項目を第１の操作パネルに表示した場合において、補助情報を有する項目の選択を、第１の操作パネルを通じて操作受付部にて受け付けたときは、第２の表示手段は補助情報を第２の操作パネルに表示する。
上記画像処理装置において好ましくは、第２の表示手段が、補助情報を有する項目を第２の操作パネルに表示した場合において、補助情報を有する項目の選択を、第２の操作パネルを通じて操作受付部にて受け付けたときは、第２の表示手段は補助情報を第１の操作パネルに表示する。
本発明のさらに他の局面に従う画像処理装置は、第１の操作パネルと通信可能な状態と通信不可能な状態とをとることが可能な画像処理装置であって、画像処理装置に固定された第２の操作パネルと、画像処理装置と通信可能な状態にある第１の操作パネル、および第２の操作パネルのうち少なくとも一方を通じて、画像処理装置に関する各種の操作を受け付ける操作受付部と、第１の操作パネルが画像処理装置と通信不可能な状態にある場合に、画像処理装置の操作に関する画面を、第２の操作パネルに表示する第１の表示手段と、第１の操作パネルが画像処理装置と通信可能な状態にある場合に、画像処理装置の操作に関する画面であって互いに関連する画面を、第１の操作パネルと第２の操作パネルとの各々に表示する第２の表示手段とを備えるとともに、第１の操作パネルを通じて操作受付部にて選択を受け付けた項目に関連する情報を、第２の表示手段が第２の操作パネルに表示する第１の表示状態と、第２の操作パネルを通じて操作受付部にて選択を受け付けた項目に関連する情報を、第２の表示手段が第１の操作パネルに表示する第２の表示状態との間で、第２の表示手段による表示状態を決定する決定手段をさらに備える。
上記画像処理装置において好ましくは、第１の操作パネルと第２の操作パネルとの大きさを比較する第１の比較手段をさらに備え、第１の比較手段にて第１の操作パネルのサイズが第２の操作パネルのサイズよりも大きいと判断した場合、決定手段は第２の表示手段による表示状態を第１の表示状態に決定し、第１の比較手段にて第２の操作パネルのサイズが第１の操作パネルのサイズよりも大きいと判断した場合、決定手段は第２の表示手段による表示状態を第２の表示状態に決定する。
上記画像処理装置において好ましくは、第１の操作パネルと第２の操作パネルとの画素数を比較する第２の比較手段をさらに備え、第２の比較手段にて第１の操作パネルの方が第２の操作パネルよりも画素数が大きいと判断した場合、決定手段は第２の表示手段による表示状態を第１の表示状態に決定し、第２の比較手段にて第２の操作パネルの方が第１の操作パネルよりも画素数が大きいと判断した場合、決定手段は第２の表示手段による表示状態を第２の表示状態に決定する。
上記画像処理装置において好ましくは、決定手段は、ユーザーから受け付けた指示に従って表示状態を決定する。
【００２４】
本発明のさらに他の局面に従う制御プログラムは、第２の操作パネルを備えた画像処理装置のコンピュータに実行させる制御プログラムであって、第２の操作パネル、および第２の操作パネルと異なる操作パネルであって画像処理装置と通信可能な状態にある第１の操作パネルのうち少なくとも一方を通じて、画像処理装置に関する各種の操作を受け付ける操作受付ステップと、第１の操作パネルが画像処理装置と通信不可能な状態にある場合に、画像処理装置の操作に関する画面を、第２の操作パネルに表示する第１の表示ステップと、第１の操作パネルが画像処理装置と通信可能な状態にある場合に、画像処理装置の操作に関する画面であって互いに関連する画面を、第１の操作パネルと第２の操作パネルとの各々に表示する第２の表示ステップと、をコンピュータに実行させるとともに、第２の表示ステップにおいて、複数階層からなる情報の上位階層に相当する情報を第１の操作パネルと前記第２の操作パネルのうちの一方の操作パネルに表示し、複数階層からなる情報の下位階層に相当する情報を他方の操作パネルに表示する。
上記制御プログラムにおいて好ましくは、第２の表示ステップにおいて、複数階層からなる情報の上位階層に相当する情報を第１の操作パネルに表示し、複数階層からなる情報の下位階層に相当する情報を第２の操作パネルに表示する。
上記制御プログラムにおいて好ましくは、第２の表示ステップにおいて、複数階層からなる情報の上位階層に相当する情報を第２の操作パネルに表示し、複数階層からなる情報の下位階層に相当する情報を第１の操作パネルに表示する。
本発明のさらに他の局面に従う制御プログラムは、第２の操作パネルを備えた画像処理装置のコンピュータに実行させる制御プログラムであって、第２の操作パネル、および第２の操作パネルと異なる操作パネルであって画像処理装置と通信可能な状態にある第１の操作パネルのうち少なくとも一方を通じて、画像処理装置に関する各種の操作を受け付ける操作受付ステップと、第１の操作パネルが画像処理装置と通信不可能な状態にある場合に、画像処理装置の操作に関する画面を、第２の操作パネルに表示する第１の表示ステップと、第１の操作パネルが画像処理装置と通信可能な状態にある場合に、画像処理装置の操作に関する画面であって互いに関連する画面を、第１の操作パネルと第２の操作パネルとの各々に表示する第２の表示ステップと、をコンピュータに実行させるとともに、第２の表示ステップにおいて、補助情報を有する項目を第１の操作パネルと第２の操作パネルのうちの一方の操作パネルに表示した場合において、補助情報を有する項目の選択を当該一方の操作パネルを通じて操作受付ステップにて受け付けたときは、補助情報を他方の操作パネルに表示する。
上記制御プログラムにおいて好ましくは、第２の表示ステップにおいて、補助情報を有する項目を第１の操作パネルに表示した場合において、補助情報を有する項目の選択を、第１の操作パネルを通じて操作受付ステップにて受け付けたときは、第２の表示ステップにおいて補助情報を第２の操作パネルに表示する。
上記制御プログラムにおいて好ましくは、第２の表示ステップにおいて、補助情報を有する項目を第２の操作パネルに表示した場合において、補助情報を有する項目の選択を、第２の操作パネルを通じて操作受付ステップにて受け付けたときは、第２の表示ステップにおいて補助情報を第１の操作パネルに表示する。
本発明のさらに他の局面に従う制御プログラムは、第２の操作パネルを備えた画像処理装置のコンピュータに実行させる制御プログラムであって、第２の操作パネル、および第２の操作パネルと異なる操作パネルであって画像処理装置と通信可能な状態にある第１の操作パネルのうち少なくとも一方を通じて、画像処理装置に関する各種の操作を受け付ける操作受付ステップと、第１の操作パネルが画像処理装置と通信不可能な状態にある場合に、画像処理装置の操作に関する画面を、第２の操作パネルに表示する第１の表示ステップと、第１の操作パネルが画像処理装置と通信可能な状態にある場合に、画像処理装置の操作に関する画面であって互いに関連する画面を、第１の操作パネルと第２の操作パネルとの各々に表示する第２の表示ステップと、をコンピュータに実行させるとともに、第１の操作パネルを通じて操作受付ステップにて選択を受け付けた項目に関連する情報を、第２の表示ステップにて第２の操作パネルに表示する第１の表示状態と、第２の操作パネルを通じて操作受付ステップにて選択を受け付けた項目に関連する情報を、第２の表示ステップにて第１の操作パネルに表示する第２の表示状態との間で、第２の表示ステップにおける表示状態を決定する決定ステップをさらにコンピュータに実行させる。
上記制御プログラムにおいて好ましくは、第１の操作パネルと第２の操作パネルとの大きさを比較する第１の比較ステップをさらにコンピュータに実行させ、第１の比較ステップにて第１の操作パネルのサイズが第２の操作パネルのサイズよりも大きいと判断した場合、決定ステップにおいて第２の表示ステップにおける表示状態を第１の表示状態に決定し、第１の比較ステップにて第２の操作パネルのサイズが第１の操作パネルのサイズよりも大きいと判断した場合、決定ステップにおいて第２の表示ステップにおける表示状態を第２の表示状態に決定する。
上記制御プログラムにおいて好ましくは、第１の操作パネルと第２の操作パネルとの画素数を比較する第２の比較ステップをさらにコンピュータに実行させ、第２の比較ステップにて第１の操作パネルの方が第２の操作パネルよりも画素数が大きいと判断した場合、決定ステップにおいて第２の表示ステップにおける表示状態を第１の表示状態に決定し、第２の比較ステップにて第２の操作パネルの方が第１の操作パネルよりも画素数が大きいと判断した場合、決定ステップにおいて第２の表示ステップにおける表示状態を第２の表示状態に決定する。
上記制御プログラムにおいて好ましくは、決定ステップにおいて、ユーザーから受け付けた指示に従って表示状態を決定する。
【００２５】
本発明のさらに他の局面に従う制御プログラムは、表示部および画像処理装置と通信可能な通信部を備えた操作パネルのコンピュータに実行させる制御プログラムであって、通信部が画像処理装置と通信可能な状態にある場合に、画像処理装置に関する各種の操作を受け付ける操作受付ステップと、通信部が画像処理装置と通信可能な状態にある場合に、画像処理装置の操作に関する画面であって互いに関連する画面を、画像処理装置に固定された他の操作パネルと、表示部との各々に表示する第２の表示ステップと、をコンピュータに実行させるとともに、第２の表示ステップにおいて、複数階層からなる情報の上位階層に相当する情報を操作パネルと他の操作パネルのうちの一方の操作パネルに表示し、複数階層からなる情報の下位階層に相当する情報を他方の操作パネルに表示する。
上記制御プログラムにおいて好ましくは、第２の表示ステップにおいて、複数階層からなる情報の上位階層に相当する情報を操作パネルに表示し、複数階層からなる情報の下位階層に相当する情報を他の操作パネルに表示する。
上記制御プログラムにおいて好ましくは、第２の表示ステップにおいて、複数階層からなる情報の上位階層に相当する情報を他の操作パネルに表示し、複数階層からなる情報の下位階層に相当する情報を操作パネルに表示する。
本発明のさらに他の局面に従う制御プログラムは、表示部および画像処理装置と通信可能な通信部を備えた操作パネルのコンピュータに実行させる制御プログラムであって、通信部が画像処理装置と通信可能な状態にある場合に、画像処理装置に関する各種の操作を受け付ける操作受付ステップと、通信部が画像処理装置と通信可能な状態にある場合に、画像処理装置の操作に関する画面であって互いに関連する画面を、画像処理装置に固定された他の操作パネルと、表示部との各々に表示する第２の表示ステップと、をコンピュータに実行させるとともに、第２の表示ステップにおいて、補助情報を有する項目を操作パネルと他の操作パネルのうちの一方の操作パネルに表示した場合において、補助情報を有する項目の選択を当該一方の操作パネルを通じて操作受付ステップにて受け付けたときは、補助情報を他方の操作パネルに表示する。
上記制御プログラムにおいて好ましくは、第２の表示ステップにおいて、補助情報を有する項目を操作パネルに表示した場合において、補助情報を有する項目の選択を、操作パネルを通じて操作受付ステップにて受け付けたときは、第２の表示ステップにおいて補助情報を他の操作パネルに表示する。
上記制御プログラムにおいて好ましくは、第２の表示ステップにおいて、補助情報を有する項目を他の操作パネルに表示した場合において、補助情報を有する項目の選択を、他の操作パネルを通じて操作受付ステップにて受け付けたときは、第２の表示ステップにおいて補助情報を操作パネルに表示する。
本発明のさらに他の局面に従う制御プログラムは、表示部および画像処理装置と通信可能な通信部を備えた操作パネルのコンピュータに実行させる制御プログラムであって、通信部が画像処理装置と通信可能な状態にある場合に、画像処理装置に関する各種の操作を受け付ける操作受付ステップと、通信部が画像処理装置と通信可能な状態にある場合に、画像処理装置の操作に関する画面であって互いに関連する画面を、画像処理装置に固定された他の操作パネルと、表示部との各々に表示する第２の表示ステップと、をコンピュータに実行させるとともに、操作パネルを通じて操作受付ステップにて選択を受け付けた項目に関連する情報を、第２の表示ステップにて他の操作パネルに表示する第１の表示状態と、他の操作パネルを通じて操作受付ステップにて選択を受け付けた項目に関連する情報を、第２の表示ステップにて操作パネルに表示する第２の表示状態との間で、第２の表示ステップにおける表示状態を決定する決定ステップをさらにコンピュータに実行させる。
上記制御プログラムにおいて好ましくは、操作パネルと他の操作パネルとの大きさを比較する第１の比較ステップをさらにコンピュータに実行させ、第１の比較ステップにて操作パネルのサイズが他の操作パネルのサイズよりも大きいと判断した場合、決定ステップにおいて第２の表示ステップにおける表示状態を第１の表示状態に決定し、第１の比較ステップにて他の操作パネルのサイズが操作パネルのサイズよりも大きいと判断した場合、決定ステップにおいて第２の表示ステップにおける表示状態を第２の表示状態に決定する。
上記制御プログラムにおいて好ましくは、操作パネルと他の操作パネルとの画素数を比較する第２の比較ステップをさらにコンピュータに実行させ、第２の比較ステップにて操作パネルの方が他の操作パネルよりも画素数が大きいと判断した場合、決定ステップにおいて第２の表示ステップにおける表示状態を第１の表示状態に決定し、第２の比較ステップにて他の操作パネルの方が操作パネルよりも画素数が大きいと判断した場合、決定ステップにおいて第２の表示ステップにおける表示状態を第２の表示状態に決定する。
上記制御プログラムにおいて好ましくは、決定ステップにおいて、ユーザーから受け付けた指示に従って表示状態を決定する。
【発明の効果】
【００２６】
本発明によれば、ユーザーの利便性を向上することのできる画像処理システム、画像処理装置、画像処理装置の制御プログラム、および操作パネルの制御プログラムを提供することができる。
【図面の簡単な説明】
【００２７】
【図１】本発明の一実施の形態における画像処理システムの概略的な構成を示す図である。
【図２】画像形成装置１の内部構成を示すブロック図である。
【図３】画像形成装置１の操作パネル１３０の構成を模式的に示す図である。
【図４】携帯情報端末２の内部構成を示すブロック図である。
【図５】携帯情報端末２のメニュー画面を模式的に示す図である。
【図６】携帯情報端末２が画像形成装置１に装着されている状態の操作パネル１３０を模式的に示す図である。
【図７】画像形成装置１の操作パネル１３０が表示する基本画面を模式的に示す図である。
【図８】画像形成装置１の操作パネル１３０が表示する待ち受け画面を模式的に示す図である。
【図９】本発明の一実施の形態において、画像形成装置１が実行する処理を示すメインルーチンである。
【図１０】携帯情報端末２が文書リスト２１を表示した画面を模式的に示す図である。
【図１１】文書リスト２１から一つの文書が選択された場合に操作パネル１３０が表示する画面を模式的に示す図である。
【図１２】携帯情報端末２が蓄積文書の画像を表示した画面を模式的に示す図である。
【図１３】サムネイル表示領域３１から蓄積文書が選択された場合に操作パネル１３０が表示する画面を模式的に示す図である。
【図１４】携帯情報端末２が登録宛先を表示した画面を模式的に示す図である。
【図１５】登録宛先表示領域４１から一つまたは複数の登録宛先が選択された場合に操作パネル１３０が表示する画面を模式的に示す図である。
【図１６】携帯情報端末２が登録ユーザーリスト５１を表示した画面を模式的に示す図である。
【図１７】登録ユーザーリスト５１から登録ユーザーが選択された場合に操作パネル１３０が表示する画面を模式的に示す図である。
【図１８】携帯情報端末２がスキャンプレビュー画像６１を表示した画面を模式的に示す図である。
【図１９】携帯情報端末２が図１８に示す画面を表示した場合に操作パネル１３０が表示する画面を模式的に示す図である。
【図２０】携帯情報端末２がジョブリスト７１を表示した画面を示す図である。
【図２１】ジョブリスト７１からジョブが選択された場合に操作パネル１３０が表示する画面を模式的に示す図である。
【図２２】携帯情報端末２が表示したモード設定画面を示す図である。
【図２３】タブ８１ｇが選択された場合に操作パネル１３０が表示する画面を模式的に示す図である。
【図２４】図９のステップＳ７４１の処理のサブルーチンである。
【図２５】携帯情報端末２が実行する処理を示すメインルーチンである。
【図２６】図２５のステップＳ９２１の処理のサブルーチンである。
【図２７】本発明の変形例において、画像形成装置１が実行する処理を示すメインルーチンである。
【発明を実施するための形態】
【００２８】
以下、本発明の一実施の形態について、図面に基づいて説明する。
【００２９】
［画像処理システムの構成］
【００３０】
始めに、本実施の形態における画像処理システムの概略的な構成について説明する。
【００３１】
以下に説明する画像処理システムは、電子写真方式や静電記録方式などによって画像形成を行う画像形成装置（画像処理装置の一例）を含むシステムである。本実施の形態における画像形成装置は、スキャナ機能、ファクシミリ機能、複写機能、プリンタとしての機能、データ通信機能、およびサーバ機能を備えたＭＦＰや、ファクシミリ装置、複写機、プリンタなどであってもよい。画像処理システムは、画像形成装置の代わりにＰＣやスキャナなどの画像処理装置を含むシステムであってもよい。
【００３２】
図１は、本発明の一実施の形態における画像処理システムの概略的な構成を示す図である。
【００３３】
図１を参照して、画像処理システムは、ｎ（ｎは自然数）個の画像形成装置１−１〜１−ｎ（画像処理装置の一例）と、携帯情報端末２（第１の操作パネルの一例）と、ｍ（ｍは自然数）個の情報処理装置３−１〜３−ｍとを備えている。画像形成装置１の各々と情報処理装置３の各々とはネットワーク４ａを通じて相互に接続されている。ネットワーク４ａは、外部ネットワーク５を介して、他のネットワーク４ｂと接続されている。
【００３４】
以下、画像形成装置１−１〜１−ｎのうち任意のものを、画像形成装置１と呼ぶことがある。情報処理装置３−１〜３−ｍのうち任意のものを、情報処理装置３と呼ぶことがある。さらに、ネットワーク４ａおよび４ｂのうち任意のものをネットワーク４と呼ぶことがある。
【００３５】
ネットワーク４は、たとえば有線または無線のＬＡＮ（Ｌｏｃａｌ  Ａｒｅａ  Ｎｅｔｗｏｒｋ）などの専用回線を用いたものである。ネットワーク４は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のプロトコルを用いて各種機器を接続する。ネットワーク４に接続された機器は、お互いに各種データのやり取りが可能となっている。なお、ネットワーク４は、一般回線を用いたものや無線通信を用いたものであってもよい。
【００３６】
画像形成装置１は、走査した原稿画像の複写画像や、情報処理装置３から受信したプリントデータに基づいて生成した画像の複写画像を、用紙上に形成する装置である。プリントデータとは、たとえば、情報処理装置３のオペレーティングシステムやアプリケーションプログラムが発行する描画命令を、プリンタドライバによって画像形成装置１が処理可能なページ記述言語に変換したものである。プリントデータは、ＰＤＦ、ＴＩＦＦ、ＪＰＥＧ、またはＸＰＳなどのファイルフォーマットで記述された文書データなどであってもよい。
【００３７】
画像形成装置１は、ネットワーク４を介して、情報処理装置３や他の画像形成装置１に原稿画像を送信することも可能である。画像形成装置１は、外部ネットワーク５を介して、別のネットワーク４に接続された他の画像形成装置１や情報処理装置３に原稿画像を送信することも可能である。さらに画像形成装置１は、原稿画像や情報処理装置３から受信した文書データを、画像形成装置１内の固定記憶装置に蓄積することも可能である。
【００３８】
携帯情報端末２は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、固定記憶装置、モニター、およびタッチ操作可能なＬＣＤ（Ｌｉｑｕｉｄ  Ｃｒｙｓｔａｌ  Ｄｉｓｐｌａｙ）パネルなどを有する携帯型のコンピュータ装置である。携帯情報端末２によれば、電子化された文書を固定記憶装置内に蓄積して持ち運び、任意の場所において閲覧、編集を行うことが可能である。また携帯情報端末２は、無線通信部を有しており、画像形成装置１や情報処理装置３などとの間で文書の送受信を行うことができる。
【００３９】
情報処理装置３は、ＣＰＵ、ＲＡＭ、固定記憶装置（ハードディスク装置など）、モニター、キーボード、およびマウスなどを有する一般的なコンピュータ装置である。情報処理装置３は、ユーザーの指示によりプリントデータを生成し、生成したプリントデータを画像形成装置１に送信する。
【００４０】
なお、画像処理システムは、画像処理装置と、画像処理装置と通信可能な状態と通信不可能な状態とをとることが可能な第１の操作パネルと、画像処理装置に固定された第２の操作パネルとを備えていればよく、図１とは異なる構成を有していてもよい。
【００４１】
図２は、画像形成装置１の内部構成を示すブロック図である。
【００４２】
図２を参照して、画像形成装置１は、ＣＰＵ１０１と、ＲＯＭ１０２と、ＳＲＡＭ（Ｓｔａｔｉｃ  Ｒａｎｄｏｍ  Ａｃｃｅｓｓ  Ｍｅｍｏｒｙ）１０３と、ＮＶＲＡＭ（Ｎｏｎ  Ｖｏｌａｔｉｌｅ  Ｒａｎｄｏｍ  Ａｃｃｅｓｓ  Ｍｅｍｏｒｙ、不揮発性メモリ）１０４と、時計ＩＣ（Ｉｎｔｅｇｒａｔｅｄ  Ｃｉｒｃｕｉｔ）１０５と、固定記憶装置１１０と、画像読取装置１２０と、操作パネル１３０（第２の操作パネルの一例）と、画像出力装置１４０と、プリンタコントローラ１５０と、ネットワークＩ／Ｆ１６０と、ワイヤレスＩ／Ｆ１７０と、短距離無線Ｉ／Ｆ１８０と、ドックコネクタ１９０とを含んでいる。
【００４３】
ＣＰＵ１０１には、ＲＯＭ１０２、ＳＲＡＭ１０３、ＮＶＲＡＭ１０４、および時計ＩＣ１０５の各々がバスを介して接続されている。ＣＰＵ１０１、ＲＯＭ１０２、ＳＲＡＭ１０３、ＮＶＲＡＭ１０４、および時計ＩＣ１０５によって制御部１００が構成されている。ＲＯＭ１０２は、画像形成装置１の動作を制御する制御プログラムを格納する。ＳＲＡＭ１０３はＣＰＵ１０１の作業用のメモリである。ＮＶＲＡＭ１０４はバッテリバックアップにより、画像形成に関わる各種の設定を記憶している。
【００４４】
制御部１００には、固定記憶装置１１０、画像読取装置１２０、操作パネル１３０、画像出力装置１４０、プリンタコントローラ１５０、ネットワークＩ／Ｆ１６０、およびワイヤレスＩ／Ｆ１７０の各々がバスを介して接続されている。固定記憶装置１１０は、たとえばハードディスク装置であり、たとえば操作パネル１３０の画素数やサイズなどの情報を含む各種情報を格納する。画像読取装置１２０は、原稿画像を読み取る。操作パネル１３０は、画像形成装置１に固定された（取り外し不可能な）操作パネルである。操作パネル１３０は、各種の入力を行うキーや表示部１３４を含んでいる。操作パネル１３０は、具体的には、数字の入力を行うテンキー１３１や、印刷の実行指示を受け付けるプリントキー１３２や、ユーザーのログアウトの指示を受け付けるログアウトキー１３３などを含んでいる。画像出力装置１４０は、複写画像を用紙上に形成する。プリンタコントローラ１５０は、ネットワークＩ／Ｆ１６０により受信したプリントデータから複写画像を生成する。ネットワークＩ／Ｆ１６０は、ネットワークケーブル４ｃを介して画像形成装置１をネットワーク４に接続する。ネットワークＩ／Ｆ１６０は、他の画像形成装置１や情報処理装置３などの外部装置との間で、各種の情報を送受信する。ワイヤレスＩ／Ｆ１７０は、他の画像形成装置１や情報処理装置３などの外部装置との間で無線通信を行う。
【００４５】
制御部１００には、さらに、短距離無線Ｉ／Ｆ１８０およびドックコネクタ１９０の各々がバスを介して接続されている。短距離無線Ｉ／Ｆ１８０は、たとえばＢｌｕｅｔｏｏｔｈ（登録商標）やＩｒＤＡ（登録商標）などであり、主に携帯情報端末２との通信に用いられる。短距離無線Ｉ／Ｆ１８０は、たとえば、印刷後の用紙が排紙される排紙部、操作パネル１３０付近、または、排紙部とは反対側の部位などに配置されてもよい。ドックコネクタ１９０には、携帯情報端末２が装着される。画像形成装置１はドックコネクタ１９０を通じて、携帯情報端末２との間で各種のデータを送受信する。
【００４６】
図３は、画像形成装置１の操作パネル１３０の構成を模式的に示す図である。なお、図３では、携帯情報端末２が装着されていない状態の操作パネル１３０の構成を示している。
【００４７】
図３を参照して、操作パネル１３０は、数字の入力を行うテンキー１３１と、タッチパネルとしての機能を有する表示部１３４と、ジョブの実行指示を受け付けるスタートキー１３５と、実行中のジョブの停止指示を受け付けるストップキー１３６などを含んでいる。
【００４８】
図４は、携帯情報端末２の内部構成を示すブロック図である。
【００４９】
図４を参照して、携帯情報端末２は、ＣＰＵ２０１と、ＲＯＭ２０２と、ＲＡＭ２０３と、固定記憶装置２１０と、タッチパネル２２０と、ワイヤレスＬＡＮＩ／Ｆ２７０と、短距離無線Ｉ／Ｆ２８０と、ドックコネクタ２９０とを含んでいる。ＣＰＵ２０１には、ＲＯＭ２０２、およびＲＡＭ２０３の各々がバスを介して接続されている。ＣＰＵ２０１、ＲＯＭ２０２、およびＲＡＭ２０３によって制御部２００が構成されている。ＲＯＭ２０２は、携帯情報端末２の動作を制御する制御プログラムを格納する。ＲＡＭ２０３はＣＰＵ２０１の作業用のメモリである。
【００５０】
制御部２００には、固定記憶装置２１０、タッチパネル２２０、ワイヤレスＬＡＮＩ／Ｆ２７０、短距離無線Ｉ／Ｆ２８０、およびドックコネクタ２９０の各々がバスを介して接続されている。固定記憶装置２１０は、たとえばハードディスク装置であり、たとえばタッチパネル２２０の画素数やサイズなどの情報を含む各種情報を格納する。タッチパネル２２０は、各種の情報を表示するとともに、画面を直接タッチすることによるユーザーの操作入力を受け付ける。ワイヤレスＬＡＮＩ／Ｆ２７０は、画像形成装置１や情報処理装置３などの外部装置との間で無線通信を行う。短距離無線Ｉ／Ｆ２８０は、たとえばＢｌｕｅｔｏｏｔｈ（登録商標）やＩｒＤＡ（登録商標）などであり、主に画像形成装置１との通信に用いられる。ドックコネクタ２９０は、携帯情報端末２が画像形成装置１に装着される際に用いられる。携帯情報端末２はドックコネクタ２９０を通じて、画像形成装置１との間で各種のデータを送受信する。
【００５１】
図５は、携帯情報端末２のメニュー画面を模式的に示す図である。
【００５２】
図５を参照して、携帯情報端末２のタッチパネル２２０には、メニュー画面を表示可能である。メニュー画面には、携帯情報端末２で実行可能なアプリケーション１〜４のアイコンＩＣ１〜ＩＣ４が表示される。メニュー画面には、さらに「ＭＦＰ連携」というアイコンＩＣ５が表示される。ユーザーによってアイコンＩＣ５が選択された場合、携帯情報端末２は、画像形成装置１（ＭＦＰ）との連携を行うＭＦＰ連携アプリケーションを開始し、携帯情報端末２は画像形成装置１との通信が可能な状態となる。携帯情報端末２が画像形成装置１との通信が可能な状態にある場合、携帯情報端末２は、携帯情報端末２でモード設定して画像形成装置で原稿を走査して印刷または送信したり、携帯情報端末２内に格納された文書を画像形成装置１へ送信してその文書を画像形成装置１で印刷したり、その文書を画像形成装置１内に蓄積したりすることができる。
【００５３】
図６は、携帯情報端末２が画像形成装置１に装着されている状態の操作パネル１３０を模式的に示す図である。
【００５４】
図６を参照して、携帯情報端末２は、たとえばドックコネクタ２９０がいずれかの画像形成装置１のドックコネクタ１９０に装着された場合に、その画像形成装置１と有線接続され、通信可能な状態となる。また携帯情報端末２は、ドックコネクタ２９０がドックコネクタ１９０に装着された場合の他、たとえばいずれかの画像形成装置１と、短距離無線Ｉ／Ｆ１８０および２８０を介して無線通信可能な範囲内に存在する場合に、その画像形成装置１と無線接続され、通信可能な状態となる。一方、携帯情報端末２は、ドックコネクタ２９０がいずれの画像形成装置１のドックコネクタ１９０にも装着されておらず、かついずれの画像形成装置１とも無線通信不可能である場合に、画像形成装置１と通信不可能な状態となる。
【００５５】
［画像形成装置の概略的な動作］
【００５６】
続いて、画像形成装置１の概略的な動作について説明する。
【００５７】
画像形成装置１は、画像形成装置１と通信可能な状態にある携帯情報端末２、および操作パネル１３０のうち少なくとも一方を通じて、画像形成装置１に関する各種の操作を受け付ける。画像形成装置１は、携帯情報端末２が画像形成装置１と通信不可能な状態にある場合に、画像形成装置１の操作に関する画面を操作パネル１３０に表示する。画像形成装置１は、携帯情報端末２が画像形成装置１と通信可能な状態にある場合に、画像形成装置１の操作に関する画面であって互いに関連する画面を、携帯情報端末２と操作パネル１３０との各々に表示する。具体的には、画像形成装置１は、画像形成装置１と通信可能な状態にある携帯情報端末２、および操作パネル１３０のうち一方を通じて操作を受け付けた場合に、受け付けた操作に他方の画面を連動させる。
【００５８】
図７は、画像形成装置１の操作パネル１３０が表示する基本画面を模式的に示す図である。
【００５９】
図７を参照して、携帯情報端末２が画像形成装置１と通信不可能な状態にある場合、操作パネル１３０は基本画面を表示する。基本画面は、画像形成装置１の操作に関する画面である。基本画面では、コピーに関する基本機能および応用機能の両方の設定をユーザーから受け付け可能であり、各設定項目が小さいフォントで表示される。通常表示では、「基本設定」タブ１１と、「原稿指定」タブ１２と、「画像／濃度指定」タブ１３と、「応用設定」タブ１４とが表示される。タブ１１〜１４はコピーに関して設定可能な項目である。画像形成装置１は、タブ１１〜１４の各々から、コピーに関する各種機能の設定を受付可能である。タブ１１〜１４の上部には「コピーできます」というメッセージが表示される。
【００６０】
なお、図７の画面は、画像形成装置１がＭＦＰである場合のコピー機能の設定画面である。操作パネル１３０が表示する基本画面は、図７以外のものであってもよく、たとえばたとえばスキャン機能やメール送信機能などの、ＭＦＰのコピー機能以外の機能の設定画面であってもよい。
【００６１】
図８は、画像形成装置１の操作パネル１３０が表示する待ち受け画面を模式的に示す図である。
【００６２】
画像形成装置１が携帯情報端末２と通信可能な状態にある場合、操作パネル１３０は、たとえば図８（ａ）に示す待ち受け画面を表示する。この待ち受け画面では、たとえば「携帯情報端末が接続されました」などのメッセージのみが表示される。
【００６３】
また、操作パネル１３０は、たとえば図８（ｂ）に示す待ち受け画面を表示してもよい。この待ち受け画面では、タブ１１〜１４の上部に「携帯情報端末が接続されました」というメッセージが表示される。このメッセージ以外の待ち受け画面の表示は、図７に示す基本画面の表示と同じである。この場合、画像形成装置１は、操作パネル１３０および携帯情報端末２の両方から画像形成装置１の操作の指示を受け付けてもよい。
【００６４】
なお、画像形成装置１が携帯情報端末２と通信可能な状態にある場合に、携帯情報端末２が図８（ａ）または（ｂ）に示す待ち受け画面を表示してもよい。この場合、操作パネル１３０は図７に示す通常画面を表示してもよい。
【００６５】
図９は、本発明の一実施の形態において、画像形成装置１が実行する処理を示すメインルーチンである。なお、図９ならびに後述する図２４および図２７に示すフローチャートは、たとえば、ＲＯＭ１０２に格納された制御プログラムをＣＰＵ１０１がロードすることにより実行される。
【００６６】
図９を参照して、画像形成装置１の電源が投入されると、ＣＰＵ１０１は、メモリのクリアや、標準モードの設定などの初期化処理を行う（Ｓ７０１）。ステップＳ７０１の初期化処理の中では、ＣＰＵ１０１は、さらに操作パネル１３０のバックライトをオンする。初期化処理が終了すると、ＣＰＵ１０１は、操作パネル１３０に基本画面（図７、初期画面）を表示する（Ｓ７０３）。続いてＣＰＵ１０１は、ドックコネクタ１９０への携帯情報端末２の装着を検出したか否か（画像形成装置１が携帯情報端末２と通信可能な状態になったか否か）を判別する（Ｓ７０５）。
【００６７】
ステップＳ７０５において、携帯情報端末２の装着を検出した（画像形成装置１が携帯情報端末２と通信可能な状態に変化した）と判別した場合（Ｓ７０５でＹＥＳ）、ＣＰＵ１０１は、携帯情報端末２と連携した画面を表示するための待ち受け画面（図８の画面）を操作パネル１３０に表示し（Ｓ７２１）、ステップＳ７０５の処理へ進む。
【００６８】
ステップＳ７０５において、携帯情報端末２の装着を検出しない（携帯情報端末２との通信状態が変わらない）と判別した場合（Ｓ７０５でＮＯ）、ＣＰＵ１０１は、ドックコネクタ１９０からの携帯情報端末２の取外しを検出したか（画像形成装置１が携帯情報端末２と通信不可能な状態に変化したか）否かを判別する（Ｓ７０７）。
【００６９】
ステップＳ７０７において、ドックコネクタ１９０からの携帯情報端末２の取外しを検出した（画像形成装置１が携帯情報端末２と通信不可能な状態に変化した）と判別した場合（Ｓ７０７でＹＥＳ）、ＣＰＵ１０１は、基本画面（コピーの基本画面）を操作パネル１３０に表示し（Ｓ７３１）、ステップＳ７０５へ進む。一方、ステップＳ７０７において、ドックコネクタ１９０からの携帯情報端末２の取外しを検出しない（画像形成装置１が携帯情報端末２と通信不可能な状態に変化しない）と判別した場合（Ｓ７０７でＮＯ）、ＣＰＵ１０１は、携帯情報端末２のタッチパネル２２０を通じて、何らかの処理が要求されたか否かを判別する（ステップＳ７０９）。
【００７０】
ステップＳ７０９において、何らかの処理が要求されたと判別した場合（ステップＳ７０９でＹＥＳ）、ＣＰＵ１０１は、携帯情報端末２を通じて要求された処理を実行する（ステップＳ７４１）。ステップＳ７４１の処理の詳細については後述する。携帯情報端末２を通じて要求された処理が終了した後で、ＣＰＵ１０１はステップＳ７０３の処理へ進む。ステップＳ７０９において、処理が要求されないと判別した場合（ステップＳ７０９でＮＯ）、ＣＰＵ１０１は、操作パネル１３０上のキー群や表示部１３４を通じて、何らかの処理が要求されたか否かを判別する（Ｓ７１１）。操作パネル１３０を通じて要求された処理とは、たとえばコピー処理や、各種の設定処理などである。
【００７１】
ステップＳ７１１において、何らかの処理が要求されたと判別した場合（ステップＳ７１１でＹＥＳ）、ＣＰＵ１０１は、操作パネル１３０を通じて要求された処理を実行する（ステップＳ７５１）。操作パネル１３０を通じて要求された処理が終了した後で、ＣＰＵ１０１はステップＳ７０３の処理へ進む。ステップＳ７１１において、処理が要求されないと判別した場合（ステップＳ７１１でＮＯ）、ＣＰＵ１０１は、外部装置から何らかの処理が要求されたか否かを確認する（Ｓ７１３）。外部装置から要求された処理とは、たとえば情報処理装置３から送信されたプリントジョブの処理や、ＮＶＲＡＭ１０４に記憶されている各種設定を変更する処理などである。
【００７２】
ステップＳ７１３において、何らかの処理が要求されたと判別した場合（ステップＳ７１３でＹＥＳ）、ＣＰＵ１０１は、外部装置を通じて要求された処理を実行する（ステップＳ７６１）。操作パネル１３０を通じて要求された処理が終了した後で、ＣＰＵ１０１はステップＳ７０３の処理へ進む。ステップＳ７１３において、処理が要求されないと判別した場合（ステップＳ７１３でＮＯ）、ＣＰＵ１０１は、ステップＳ７０５の処理へ進む。
【００７３】
［携帯情報端末２で処理が要求された場合の画像形成装置の動作］
【００７４】
次に、図９のステップＳ７４１において、携帯情報端末２で処理が要求された場合の、画像形成装置１の動作について説明する。
【００７５】
なお、以下の図１０〜図２３においては、携帯情報端末２を通じて選択を受け付けた項目に関連する情報を操作パネル１３０に表示する場合、または複数階層からなる情報の上位階層に相当する情報を携帯情報端末２に表示し、複数階層からなる情報の下位階層に相当する情報を操作パネル１３０に表示する場合を想定している。
【００７６】
本願明細書において、携帯情報端末２が表示する画面および操作パネル１３０が表示する画面のうち、項目の選択を受け付ける方の画面、または上位階層に相当する情報を表示する方の画面を主画面と呼ぶことがある。また、主画面で選択を受け付けた項目に関連する情報を表示する方の画面、または下位階層に相当する情報を表示する方の画面を従画面と呼ぶことがある。
【００７７】
以下の説明では、携帯情報端末２が表示する画面が主画面であり、操作パネル１３０が表示する画面が従画面である場合について示しているが、携帯情報端末２が表示する画面が従画面であり、操作パネル１３０が表示する画面が主画面であってもよい。
【００７８】
図１０は、携帯情報端末２が文書リスト２１を表示した画面を模式的に示す図である。
【００７９】
図１０を参照して、ユーザーからの要求に従って、携帯情報端末２は、画像形成装置１の固定記憶装置１１０に蓄積（格納）された文書（蓄積文書）のリストである文書リスト２１と、各種キー２２ａ、２２ｂ、２３ａ〜２３ｅ、２４ａ、および２４ｂなどを表示する。文書リスト２１における縦方向には、各文書が登録された時間順に並べられる。文書リスト２１における横方向には、各文書の登録時間と、文書の出所（登録元）と、名前とが並べられる。文書リスト２１内の文書は選択可能である。文書リスト２１の下部にはキー２２ａおよび２２ｂが表示される。「全解除」キー２２ａは、選択した文書を全て解除する場合に押下されるキーである。「全選択」キー２２ｂは、文書リスト２１に含まれる全ての文書を選択する場合に押下されるキーである。文書リスト２１の右側にはキー２３ａ〜２３ｅが表示される。「文書詳細」キー２３ａは、選択した文書の詳細情報を携帯情報端末２に表示する場合に押下されるキーである。「印刷」キー２３ｂ、「送信」キー２３ｃ、および「その他」キー２３ｄは、それぞれ選択されている文書について、印刷ジョブを実行する場合、外部機器への送信ジョブを実行する場合、およびその他のジョブを実行する場合に押下されるキーである。「削除」キー２３ｅは、固定記憶装置１１０から選択した文書を削除する場合に押下されるキーである。文書リスト２１の右上にはキー２４ａおよび２４ｂが表示される。キー２４ａは、固定記憶装置１１０に蓄積された文書をサムネイル表示する場合に押下されるキーである。キー２４ｂは、固定記憶装置１１０に蓄積された文書をリスト表示する場合に押下されるキーである。図１０では、キー２４ｂが押下されており、蓄積文書がリスト表示されている。
【００８０】
文書リスト２１から一つの蓄積文書（図１０では「画面仕様書」という名前の文書）が選択された場合に、操作パネル１３０は図１１に示す画面を表示する。
【００８１】
図１１は、文書リスト２１から一つの文書が選択された場合に操作パネル１３０が表示する画面を模式的に示す図である。図１１の画面と図１０の画面とは互いに関連している。
【００８２】
図１１を参照して、操作パネル１３０は、選択した文書のプレビュー画像２５と、各種キー２６ａ〜２６ｅ、２７ａ、および２７ｂなどを表示する。プレビュー画像２５は、選択した文書の１頁分のプレビュー画像であり、図１１中左下に表示される。プレビュー画像２５の右側にはキー２６ａ〜２６ｅが表示される。キー２６ａおよび２６ｂは、それぞれプレビュー画像２５として表示される画像を縮小および拡大する場合に押下されるキーである。キー２６ｃは、プレビュー画像２５として表示された頁の画像を回転する場合に押下されるキーである。キー２６ｄは、選択した文書の全頁を回転する場合に押下されるキーである。キー２６ｅは、プレビュー画像２５として表示された頁の画像を削除する場合に押下されるキーである。選択した文書が複数の頁よりなっている場合、プレビュー画像２５の上側には、プレビュー画像２５として表示されている頁の１つ前の頁の画像を表示する場合に押下されるキー２７ａと、プレビュー画像２５として表示されている頁の１つ後の頁の画像を表示する場合に押下されるキー２７ｂとが表示される。
【００８３】
図１２は、携帯情報端末２が蓄積文書の画像を表示した画面を模式的に示す図である。
【００８４】
図１２を参照して、ユーザーからの要求に従って、携帯情報端末２は、画像形成装置１の固定記憶装置１１０に蓄積（格納）された文書の画像（蓄積文書の画像）のサムネイル表示領域３１と、各種キー３２ａ、３２ｂ、３３ａ〜３３ｇ、３４ａ、および３４ｂなどを表示する。サムネイル表示領域３１には、各蓄積文書のサムネイル画像（蓄積文書の画像の一覧）が並べられる。サムネイル表示領域３１内の蓄積文書は選択可能である。サムネイル表示領域３１の下部にはキー３２ａおよび３２ｂが表示される。「リセット」キー３２ａは、選択した蓄積文書を全て解除する場合に押下されるキーである。「全選択」キー２２ｂは、サムネイル表示領域３１に表示される全ての蓄積文書を選択する場合に押下されるキーである。サムネイル表示領域３１の右側にはキー３３ａ〜３３ｇが表示される。「検索」キー３３ａは、蓄積文書の中から所望のものを検索する際に押下されるキーである。「詳細」キー３３ｂは、選択した蓄積文書の詳細情報を携帯情報端末２に表示する場合に押下されるキーである。「保存」キー３３ｃは、選択した蓄積文書を固定記憶装置１１０に再保存する場合に押下されるキーである。「印刷」キー３３ｄは、選択した蓄積文書について印刷ジョブを実行する場合に押下されるキーである。「印刷および削除」キー３３ｅは、選択した蓄積文書について印刷ジョブを実行した後で、その蓄積文書を固定記憶装置１１０から削除する場合に押下されるキーである。「送信」キー３３ｆおよび「その他」キー３３ｇは、それぞれ選択した蓄積文書について送信ジョブを実行する場合、およびその他のジョブを実行する場合に押下されるキーである。サムネイル表示領域３１の右上にはキー３４ａおよび３４ｂが表示される。キー３４ａは、固定記憶装置１１０に蓄積された文書の画像をサムネイル表示する場合に押下されるキーである。キー３４ｂは、固定記憶装置１１０に蓄積された文書をリスト表示する場合に押下されるキーである。図１２では、キー３４ａが押下されており、蓄積文書の画像がサムネイル表示されている。
【００８５】
サムネイル表示領域３１から蓄積文書が選択された場合に、操作パネル１３０は図１３に示す画面を表示する。
【００８６】
図１３は、サムネイル表示領域３１から蓄積文書が選択された場合に操作パネル１３０が表示する画面を模式的に示す図である。図１３の画面と図１２の画面とは互いに関連している。
【００８７】
図１３を参照して、操作パネル１３０は、選択した蓄積文書の詳細情報３５などを表示する。詳細情報３５には、選択した蓄積文書の登録時間と、登録元と、名前と、ページ数と、ジョブナンバーと、プレビュー画像とが含まれる。
【００８８】
なお、図１０に示す画面においてキー２４ａが押下された場合には、操作パネル１３０は図１２に示す画面を表示してもよい。図１２に示す画面においてキー３４ｂが押下された場合には、操作パネル１３０は図１０に示す画面を表示してもよい。
【００８９】
図１４は、携帯情報端末２が登録宛先を表示した画面を模式的に示す図である。
【００９０】
図１４を参照して、ファクシミリ送信や電子メール送信を指示する際などに、ユーザーからの要求に従って、携帯情報端末２は、登録宛先表示領域４１などを表示する。登録宛先表示領域４１には、固定記憶装置１１０に格納（登録）されているファクシミリ送信先またはメール送信先の宛先（登録宛先）の一覧がアイコン表示される。登録宛先表示領域４１内の登録宛先は選択可能である。図１４では「有明電工」、「有限会社緑産業」、および「佐藤明憲」の３件の登録宛先が選択されている。登録宛先表示領域４１の右側にはキー４２ａおよび４２ｂが表示される。キー４２ａは、登録宛先をアイコン表示に切り替える場合に押下されるキーである。キー４２ｂは、登録宛先をリスト表示に切り替える場合に押下されるキーである。図１４では、キー４２ａが押下されており、登録宛先がアイコン表示されている。
【００９１】
登録宛先表示領域４１から一つまたは複数の登録宛先が選択された場合に、操作パネル１３０は図１５に示す画面を表示する。
【００９２】
図１５は、登録宛先表示領域４１から一つまたは複数の登録宛先が選択された場合に操作パネル１３０が表示する画面を模式的に示す図である。図１５の画面と図１４の画面とは互いに関連している。
【００９３】
図１５を参照して、操作パネル１３０は、最後に選択した登録宛先である「佐藤明憲」の詳細情報４３と、同報リスト４４などを表示する。詳細情報４３には、ジョブの番号と、登録宛先の種類（ファクシミリの送信宛先か電子メール送信の送信宛先か）と、登録宛先の登録番号と、登録名と、登録名のふりがなと、登録宛先とが含まれる。詳細情報４３の左側には、選択した宛先のリストである同報リスト４４が表示される。
【００９４】
図１６は、携帯情報端末２が登録ユーザーリスト５１を表示した画面を模式的に示す図である。
【００９５】
図１６を参照して、ユーザーからの要求に従って、携帯情報端末２は、登録ユーザーリスト５１と、「絞込み検索」キー５２などを表示する。たとえば、ユーザーが携帯情報端末２を通じてユーザー名およびパスワードを入力することにより、画像形成装置１でのユーザー認証を行う場合、ユーザーは、登録ユーザーリスト５１から自分のユーザー名を選択した上で、パスワードを入力する。登録ユーザーリスト５１には、固定記憶装置１１０に格納（登録）されているユーザー名がリスト表示される。登録ユーザーリスト５１内のユーザーは選択可能である。図１６では「ＫＭ  Ｔａｒｏ」というユーザーが選択されている。登録ユーザーリスト５１の右側にはキー５２が表示される。キー５２は、絞込み条件に入力された文言に関連するユーザーを検索して、該当するユーザーのみを登録ユーザーリスト５１に表示する場合に押下されるキーである。
【００９６】
登録ユーザーリスト５１から登録ユーザーが選択された場合に、操作パネル１３０は図１７に示す画面を表示する。
【００９７】
図１７は、登録ユーザーリスト５１から登録ユーザーが選択された場合に操作パネル１３０が表示する画面を模式的に示す図である。図１７の画面と図１６の画面とは互いに関連している。
【００９８】
図１７を参照して、操作パネル１３０は、選択した登録ユーザーの詳細情報５３などを表示する。ユーザー名の詳細情報５３には、そのユーザーのパスワードと、電子メールアドレスと、所属部門などが含まれる。なお、この時点でユーザー認証が完了していないので、パスワードは非表示となっている。
【００９９】
図１８は、携帯情報端末２がスキャンプレビュー画像６１を表示した画面を模式的に示す図である。
【０１００】
図１８を参照して、コピージョブやファイル送信ジョブなどを実行する場合などにおいて、画像読取装置１２０にてスキャンした原稿の画像のプレビュー画像（スキャンプレビュー画像）を表示する処理が要求されたときは、携帯情報端末２は、スキャンプレビュー画像６１と、各種キー６２ａ〜６２ｆ、６３ａ、および６３ｂなどを表示する。スキャンプレビュー画像６１は、スキャンした原稿の１頁分のプレビュー画像であり、図１８中左下に表示される。スキャンプレビュー画像６１の右側には、キー６２ａ〜６２ｆが表示される。キー６２ａおよび６２ｂは、それぞれスキャンプレビュー画像６１として表示される画像を縮小および拡大する場合に押下されるキーである。キー６２ｃは、スキャンプレビュー画像６１として表示される頁の画像を回転する場合に押下されるキーである。キー６２ｄは、スキャンされた原稿画像の全頁を回転する場合に押下されるキーである。「仕上り表示」キー６２ｅは、スキャンプレビュー画像６１として仕上り状態の画像を表示させる場合に押下されるキーである。「設定変更」キー６２ｆは、スキャンプレビュー画像６１の表示設定を変更する場合に押下されるキーである。スキャンプレビュー画像６１の上側には、スキャンプレビュー画像６１として表示されている頁の１つ前の頁の画像を表示する場合に押下されるキー６３ａと、スキャンプレビュー画像６１として表示されている頁の１つ後の頁の画像を表示する場合に押下されるキー６３ｂとが表示される。
【０１０１】
携帯情報端末２が図１８の画面を表示した場合に、操作パネル１３０は図１９に示す画面を表示する。
【０１０２】
図１９は、携帯情報端末２が図１８に示す画面を表示した場合に操作パネル１３０が表示する画面を模式的に示す図である。図１９の画面と図１８の画面とは互いに関連している。
【０１０３】
図１９を参照して、操作パネル１３０は、スキャンプレビュー画像６１の詳細情報６４などを表示する。詳細情報６４には、スキャンプレビュー画像６１が固定記憶装置１１０に登録された時間（登録時間）と、登録元と、スキャンプレビュー画像６１の名前（文書名）と、スキャンプレビュー画像６１の頁数と、ジョブナンバーと、スキャンプレビュー画像６１の縮小画像とが表示される。これらの項目のうち文書名およびジョブナンバーは、画像形成装置１によって作成されてもよいし、操作パネル１３０を通じてユーザーによって作成されてもよい。
【０１０４】
図２０は、携帯情報端末２がジョブリスト７１を表示した画面を示す図である。
【０１０５】
図２０を参照して、ユーザーからの要求に従って、携帯情報端末２は、画像形成装置１に蓄積（登録）された未実行、実行中、および実行完了のジョブリスト７１と、各種キー７２ａ〜７２ｇなどを表示する。ジョブリスト７１における縦方向には、画像形成装置１の固定記憶装置１１０に登録されたジョブが、登録された時間順に並べられる。ジョブリスト７１における横方向には、各ジョブのナンバーと、種別と、使用するファイル名または宛先と、登録時間と、使用する文書の総頁数と、ジョブの状態または結果とが並べられる。ジョブリスト７１内のジョブは選択可能である。ジョブリスト７１の右側にはキー７２ａ〜７２ｇが表示される。「削除」キー７２ａは、固定記憶装置１１０から選択したジョブを削除する場合に押下されるキーである。「優先出力」キー７２ｂは、選択したジョブを優先的に出力（実行）する場合に押下されるキーである。「蓄積解除」キー７２ｃは、選択したジョブを通常の順序で出力（実行）する場合に押下されるキーである。「リダイアル」キー７２ｄは、ファクシミリ送信ジョブなどを再実行する場合に押下されるキーである。「設定内容」キー７２ｅは、選択したジョブの設定内容を表示する場合に押下されるキーである。「転送」キー７２ｆは、ジョブを他の画像形成装置１に転送する場合などに押下されるキーである。「詳細」キー７２ｇは、選択したジョブの詳細情報を携帯情報端末２に表示する場合に押下されるキーである。
【０１０６】
ジョブリスト７１からジョブ（図２０では「画面仕様書」という名前の文書のコピージョブ）が選択された場合に、操作パネル１３０は図２１に示す画面を表示する。
【０１０７】
図２１は、ジョブリスト７１からジョブが選択された場合に操作パネル１３０が表示する画面を模式的に示す図である。図２１の画面と図２０の画面とは互いに関連している。
【０１０８】
図２１を参照して、操作パネル１３０は、選択したジョブの詳細情報７３などを表示する。詳細情報７３には、ジョブのナンバーと、状態と、ジョブの登録元またはジョブを登録したユーザー名と、文書名と、画像形成装置１における用紙の排出先（コピージョブやプリントジョブの場合）と、登録時間と、印刷する用紙の枚数などが含まれる。
【０１０９】
図２２は、携帯情報端末２が表示したモード設定画面を示す図である。
【０１１０】
図２２を参照して、ユーザーがコピージョブやスキャンジョブなどの各種モードを設定する場合に、ユーザーからの要求に従って、携帯情報端末２は、各種項目に対応するタブ８１ａ〜８１ｏを含むモード設定画面８２を表示する。タブ８１ａ〜８１ｏのうち任意のタブが選択された場合には、携帯情報端末２はモード設定画面８２にて、そのタブの項目に関する設定を受け付ける。図２２では、「オーバーレイ」タブ８１ｇが選択されており、オーバーレイ機能に関して設定可能な内容がモード設定画面８２に表示されている。
【０１１１】
タブ８１ｇが選択された場合に、操作パネル１３０は図２３に示す画面を表示する。
【０１１２】
図２３は、タブ８１ｇが選択された場合に操作パネル１３０が表示する画面を模式的に示す図である。図２３の画面と図２２の画面とは互いに関連している。
【０１１３】
図２３を参照して、操作パネル１３０は、タブ８１ｇに対応する項目（ここではオーバーレイ機能）の補助情報であるメッセージ８３を表示する。補助情報とは、たとえば機能説明や使用方法などの情報である。
【０１１４】
図２４は、図９のステップＳ７４１の処理のサブルーチンである。
【０１１５】
図２４を参照して、図９のステップＳ７４１の処理において、ＣＰＵ１０１は、携帯情報端末２が表示した蓄積文書の文書リスト２１（図１０）から、蓄積文書が選択されたか否かを判別する（Ｓ８０１）。
【０１１６】
ステップＳ８０１において、蓄積文書が選択されたと判別した場合（Ｓ８０１でＹＥＳ）、ＣＰＵ１０１は、選択された蓄積文書のプレビュー画像２５（図１１）を操作パネル１３０に表示し（Ｓ８２１）、リターンする。一方、ステップＳ８０１において、蓄積文書が選択されないと判別した場合（Ｓ８０１でＮＯ）、ＣＰＵ１０１は、携帯情報端末２が表示した蓄積文書のサムネイル画像の一覧（図１２）から、蓄積文書が選択されたか否かを判別する（Ｓ８０３）。
【０１１７】
ステップＳ８０３において、蓄積文書が選択されたと判別した場合（Ｓ８０３でＹＥＳ）、ＣＰＵ１０１は、選択された蓄積文書の詳細情報３５（図１３）を操作パネル１３０に表示し（Ｓ８３１）、リターンする。一方、ステップＳ８０３において、蓄積文書が選択されないと判別した場合（Ｓ８０３でＮＯ）、ＣＰＵ１０１は、携帯情報端末２が表示した登録宛先の一覧（図１４）から、一つまたは複数の登録宛先が選択されたか否かを判別する（Ｓ８０５）。
【０１１８】
ステップＳ８０５において、一つまたは複数の登録宛先が選択されたと判別した場合（Ｓ８０５でＹＥＳ）、ＣＰＵ１０１は、最後に選択された登録宛先の詳細情報４３および同報リスト４４（図１５）を操作パネル１３０に表示し（Ｓ８４１）、リターンする。一方、ステップＳ８０５において、登録宛先が選択されないと判別した場合（Ｓ８０５でＮＯ）、ＣＰＵ１０１は、携帯情報端末２が表示した登録ユーザーリスト５１（図１６）から登録ユーザーが選択されたか否かを判別する（Ｓ８０７）。
【０１１９】
ステップＳ８０７において、登録ユーザーが選択されたと判別した場合（Ｓ８０７でＹＥＳ）、ＣＰＵ１０１は、選択された登録ユーザーの詳細情報５３（図１７）を操作パネル１３０に表示し（Ｓ８５１）、リターンする。一方、ステップＳ８０７において、登録ユーザーが選択されないと判別した場合（Ｓ８０７でＮＯ）、ＣＰＵ１０１は、スキャンプレビュー画像６１（図１８）を表示する処理が携帯情報端末２を通じて要求されたか否かを判別する（Ｓ８０９）。
【０１２０】
ステップＳ８０９において、スキャンプレビュー画像６１を表示する処理が要求されたと判別した場合（Ｓ８０９でＹＥＳ）、ＣＰＵ１０１は、スキャンプレビュー画像６１を携帯情報端末２に表示し、かつスキャンプレビュー画像６１の詳細情報６４（図１９）を操作パネル１３０に表示し（Ｓ８６１）、リターンする。一方、ステップＳ８０９において、スキャンプレビュー画像６１を表示する処理が要求されないと判別した場合（Ｓ８０９でＮＯ）、ＣＰＵ１０１は、携帯情報端末２が表示したジョブリスト７１（図２０）からジョブが選択されたか否かを判別する（Ｓ８１１）。
【０１２１】
ステップＳ８１１において、ジョブが選択されたと判別した場合（Ｓ８１１でＹＥＳ）、ＣＰＵ１０１は、選択されたジョブの詳細情報７３（図２１）を操作パネル１３０に表示し（Ｓ８７１）、リターンする。一方、ステップＳ８１１において、ジョブが選択されないと判別した場合（Ｓ８１１でＮＯ）、ＣＰＵ１０１は、携帯情報端末２が表示したモード設定画面８２（図２２）からタブ（項目）が選択されたか否かを判別する（Ｓ８１３）。
【０１２２】
ステップＳ８１３において、モード設定画面８２からタブが選択されたと判別した場合（Ｓ８１３でＹＥＳ）、ＣＰＵ１０１は、選択されたタブに対応する設定項目の機能説明および使用方法などを記したメッセージ８３（図２３）を操作パネル１３０に表示し（Ｓ８８１）、リターンする。一方、ステップＳ８１３において、モード設定画面８２からタブが選択されないと判別した場合（Ｓ８１３でＮＯ）、ＣＰＵ１０１は、その他の要求された処理を実行し（Ｓ８１５）、リターンする。
【０１２３】
［携帯情報端末の動作］
【０１２４】
続いて、携帯情報端末２の動作について説明する。
【０１２５】
図２５は、携帯情報端末２が実行する処理を示すメインルーチンである。なお、図２５および後述する図２６に示すフローチャートは、たとえば、ＲＯＭ２０２に格納された制御プログラムをＣＰＵ２０１がロードすることにより実行される。
【０１２６】
図２５を参照して、携帯情報端末２の電源が投入されると、ＣＰＵ２０１は、メモリのクリアや、標準モードの設定などの初期化処理を行う（Ｓ９０１）。初期化処理が終了すると、ＣＰＵ２０１は、タッチパネル２２０上にメニュー画面（図５）を表示する（Ｓ９０３）。
【０１２７】
続いてＣＰＵ２０１は、ＭＦＰ連携アプリケーション（「ＭＦＰ連携」のアイコンＩＣ５）が選択されたか否かを判別する（Ｓ９０５）。ステップＳ９０５において、ＭＦＰ連携アプリケーションが選択されないと判別した場合（Ｓ９０５でＮＯ）、ＣＰＵ２０１は、ＭＦＰ連携アプリケーション以外のメニュー（たとえばアイコンＩＣ１〜ＩＣ４）が選択されたか否かを判別する（Ｓ９０７）。
【０１２８】
Ｓ９０７において、ＭＦＰ連携アプリケーション以外のメニューが選択されたと判別した場合（Ｓ９０７でＹＥＳ）、ＣＰＵ２０１は、選択されたメニューを実行し（Ｓ９５１）、ステップＳ９０３の処理へ進む。一方、ステップＳ９０７において、ＭＦＰ連携アプリケーション以外のメニューが選択されないと判別した場合（Ｓ９０７でＮＯ）、ＣＰＵ２０１は、ステップＳ９０５の処理へ進む。
【０１２９】
なお、ＭＦＰ連携アプリケーション以外のメニューとは、アイコンＩＣ１〜ＩＣ４に対応するメニューの他、ウェブブラウザー、メーラーソフト、カレンダーなど様々なものがあるが、本実施の形態とは関連性が小さいため、その説明は省略する。
【０１３０】
ステップＳ９０５において、ＭＦＰ連携アプリケーションが選択されたと判別した場合（Ｓ９０５でＹＥＳ）、ＣＰＵ２０１は、たとえばドックコネクタ２９０や短距離無線Ｉ／Ｆ２８０を通じて、画像形成装置１との接続（通信）を試みる（Ｓ９１１）。続いてＣＰＵ２０１は、携帯情報端末２が画像形成装置１との接続に成功したか（携帯情報端末２と画像形成装置１との通信が確立されたか）否かを判別する（Ｓ９１３）。
【０１３１】
ステップＳ９１３において、携帯情報端末２が画像形成装置１との接続に失敗したと判別した場合（Ｓ９１３でＮＯ）、ＣＰＵ２０１は、画像形成装置１と接続できない旨の通知をタッチパネル２２０上に行い（Ｓ９３１）、ステップＳ９０７へ進む。携帯情報端末２と画像形成装置１との接続に失敗したと判別する場合とは、たとえばドックコネクタ２９０が画像形成装置１のドックコネクタ１９０に装着されていない場合や、携帯情報端末２がいずれの画像形成装置１とも無線通信不可能である場合などである。一方、ステップＳ９１３において、携帯情報端末２が画像形成装置１との接続に成功したと判別した場合（Ｓ９１３でＹＥＳ）、ＣＰＵ２０１は、タッチパネル２２０を通じて何らかの処理が要求されたか否かを判別する（ステップＳ９１５）。
【０１３２】
ステップＳ９１５において、何らかの処理が要求されたと判別した場合（Ｓ９１５でＹＥＳ）、ＣＰＵ２０１は、要求された処理を実行する（ステップＳ９２１）。ステップＳ９２１の処理の詳細については後述する。その後ＣＰＵ２０１は、ステップＳ９０３の処理へ進む。一方、ステップＳ９１５において、何の処理も要求されていないと判別した場合（ステップＳ９１５でＮＯ）、ＣＰＵ２０１は、ＭＦＰ連携アプリケーションが中止されたか否かを判別する（Ｓ９４１）。
【０１３３】
ステップＳ９４１において、中止されたと判別した場合（Ｓ９４１でＹＥＳ）、ＣＰＵ２０１は、ステップＳ９０３の処理へ進む。一方、中止されないと判別した場合（Ｓ９４１でＮＯ）、ＣＰＵ２０１は、ステップＳ９１５の処理へ進む。
【０１３４】
図２６は、図２５のステップＳ９２１の処理のサブルーチンである。
【０１３５】
図２６を参照して、図２５のステップＳ９２１の処理において、ＣＰＵ２０１は、携帯情報端末２が表示した蓄積文書の文書リスト２１（図１０）から、蓄積文書が選択されたか否かを判別する（Ｓ１００１）。
【０１３６】
ステップＳ１００１において、蓄積文書が選択されたと判別した場合（Ｓ１００１でＹｓ）、ＣＰＵ２０１は、選択された蓄積文書が他の蓄積文書とは異なる色で表示されるように、蓄積文書の文書リスト２１を更新し、選択された蓄積文書を画像形成装置１へ通知する（Ｓ１０２１）。その後ＣＰＵ２０１はリターンする。一方、ステップＳ１００１において、蓄積文書が選択されないと判別した場合（Ｓ１００１でＮＯ）、ＣＰＵ２０１は、携帯情報端末２が表示した蓄積文書の画像の一覧（図１２）から、蓄積文書が選択されたか否かを判別する（Ｓ１００３）。
【０１３７】
ステップＳ１００３において、蓄積文書が選択されたと判別した場合（Ｓ１００３でＹＥＳ）、ＣＰＵ２０１は、選択された蓄積文書の画像が他の蓄積文書の画像とは異なる色で表示されるように、蓄積文書の画像の一覧を更新し、選択された蓄積文書を画像形成装置１へ通知する（Ｓ１０３１）。その後ＣＰＵ２０１はリターンする。一方、ステップＳ１００３において、蓄積文書が選択されないと判別した場合（Ｓ１００３でＮＯ）、ＣＰＵ２０１は、携帯情報端末２が表示した登録宛先の一覧（図１４）から、一つまたは複数の登録宛先が選択されたか否かを判別する（Ｓ１００５）。
【０１３８】
ステップＳ１００５において、一つまたは複数の登録宛先が選択されたと判別した場合（Ｓ１００５でＹＥＳ）、ＣＰＵ２０１は、選択された登録宛先が他の登録宛先とは異なる色で表示されるように、登録宛先の一覧を更新し、最後に選択された登録宛先を画像形成装置１へ通知する（Ｓ１０４１）。その後ＣＰＵ２０１はリターンする。一方、ステップＳ１００５において、登録宛先が選択されないと判別した場合（Ｓ１００５でＮＯ）、ＣＰＵ１０１は、携帯情報端末２が表示した登録ユーザーリスト５１（図１６）から登録ユーザーが選択されたか否かを判別する（Ｓ１００７）。
【０１３９】
ステップＳ１００７において、登録ユーザーが選択されたと判別した場合（Ｓ１００７でＹＥＳ）、ＣＰＵ２０１は、選択された登録ユーザーが他の登録ユーザーとは異なる色で表示されるように、登録ユーザーリスト５１を更新し、選択された登録ユーザーを画像形成装置１へ通知する（Ｓ１０５１）。その後、ＣＰＵ２０１はリターンする。一方、ステップＳ１００７において、登録ユーザーが選択されないと判別した場合（Ｓ１００７でＮＯ）、ＣＰＵ２０１は、スキャンプレビュー画像６１（図１８）を表示する処理が携帯情報端末２を通じて要求されたか否かを判別する（Ｓ１００９）。
【０１４０】
ステップＳ１００９において、スキャンプレビュー画像６１を表示する処理が要求されたと判別した場合（Ｓ１００９でＹＥＳ）、ＣＰＵ２０１は、スキャンプレビュー画像６１を携帯情報端末２に表示し、スキャンプレビュー画像６１を表示したことを画像形成装置１へ通知する（Ｓ１０６１）。その後、ＣＰＵ２０１はリターンする。一方、ステップＳ１００９において、スキャンプレビュー画像６１を表示する処理が要求されないと判別した場合（Ｓ１００９でＮＯ）、ＣＰＵ２０１は、携帯情報端末２が表示したジョブリスト７１（図２０）からジョブが選択されたか否かを判別する（Ｓ１０１１）。
【０１４１】
ステップＳ１０１１において、ジョブが選択されたと判別した場合（Ｓ１０１１でＹＥＳ）、ＣＰＵ２０１は、選択されたジョブが他のジョブとは異なる色で表示されるように、ジョブリスト７１を更新し、選択されたジョブを画像形成装置１へ通知する（Ｓ１０７１）。その後ＣＰＵ２０１はリターンする。一方、ステップＳ１０１１において、ジョブが選択されないと判別した場合（Ｓ１０１１でＮＯ）、ＣＰＵ２０１は、携帯情報端末２が表示したモード設定画面８２（図２２）からタブ（項目）が選択されたか否かを判別する（Ｓ１０１３）。
【０１４２】
ステップＳ１０１３において、モード設定画面８２からタブが選択されたと判別した場合（Ｓ１０１３でＹＥＳ）、ＣＰＵ２０１は、選択されたタブに関する設定を受け付ける画面を表示し、選択されたタブを画像形成装置１へ通知する（Ｓ１０８１）。その後、ＣＰＵ２０１はリターンする。一方、ステップＳ１０１３において、モード設定画面８２からタブが選択されないと判別した場合（Ｓ１０１３でＮＯ）、ＣＰＵ２０１は、その他の要求された処理を実行し（Ｓ１０１５）、リターンする。
【０１４３】
［変形例］
【０１４４】
本変形例では、携帯情報端末２と画像形成装置１とが接続を確立した場合に、携帯情報端末２と画像形成装置１との主従関係を動的に決定する処理について説明する。主従関係とは、携帯情報端末２および画像形成装置１のうちどちらに主画面を表示し、どちらに従画面を表示するかを意味している。
【０１４５】
図２７は、本発明の変形例において、画像形成装置１が実行する処理を示すメインルーチンである。
【０１４６】
図２７を参照して、画像形成装置１の電源が投入されると、ＣＰＵ１０１は、メモリのクリアや、標準モードの設定などの初期化処理を行う（Ｓ１１０１）。初期化処理が終了すると、ＣＰＵ１０１は、操作パネル１３０に基本画面（図７）を表示する（Ｓ１１０３）。続いてＣＰＵ１０１は、ドックコネクタ１９０への携帯情報端末２の装着を検出したか否か（画像形成装置１が携帯情報端末２と通信可能な状態になったか否か）を判別する（Ｓ１１０５）。
【０１４７】
ステップＳ１１０５において、携帯情報端末２が装着されている（画像形成装置１が携帯情報端末２と通信可能な状態にある）と判別した場合（Ｓ１１０５でＹＥＳ）、ＣＰＵ１０１は、携帯情報端末２のタッチパネル２２０と画像形成装置１の操作パネル１３０との間の主従関係を決定する（Ｓ１１２１）。つまり、ステップＳ１１２１においては、携帯情報端末２および操作パネル１３０のどちらが主画面を表示し、どちらが従画面を表示するのかを決定する。
【０１４８】
ステップＳ１１２１においては、たとえば、装着された携帯情報端末２からタッチパネル２２０のサイズに関する情報を取得し、タッチパネル２２０のサイズが操作パネル１３０のサイズよりも大きい場合には、携帯情報端末２が主画面を表示し、操作パネル１３０が従画面を表示するように、主従関係が決定されてもよい。一方、タッチパネル２２０のサイズが操作パネル１３０のサイズよりも小さい場合には、携帯情報端末２が従画面を表示し、操作パネル１３０が主画面を表示するように、主従関係が決定されてもよい。
【０１４９】
ステップＳ１１２１においては、たとえば、装着された携帯情報端末２からタッチパネル２２０の画素数を取得し、タッチパネル２２０の画素数が操作パネル１３０の画素数よりも大きい場合には、携帯情報端末２が主画面を表示し、操作パネル１３０が従画面を表示するように、主従関係が決定されてもよい。一方、タッチパネル２２０の画素数が操作パネル１３０の画素数よりも小さい場合には、携帯情報端末２が従画面を表示し、操作パネル１３０が主画面を表示するように、主従関係が決定されてもよい。
【０１５０】
ステップＳ１１２１においては、ユーザーから受け付けた主従関係に関する設定指示に従って、主従関係が決定されてもよい。この場合、ユーザーからの操作を受け付けた方の画面を主画面としてもよい。さらに、上述のサイズ、画素数、およびユーザーから受け付けた設定指示のうち２つ以上を適宜組み合わせて主従関係が決定されてもよい。
【０１５１】
次にＣＰＵ１０１は、携帯情報端末２が主画面を表示すると決定したか否かを判別する（Ｓ１１２３）。ステップＳ１１２３において、携帯情報端末２が主画面を表示すると決定した場合（Ｓ１１２３でＹＥＳ）、ＣＰＵ１０１は、携帯情報端末２と連携した画面を表示するための待ち受け画面（図８の画面）を操作パネル１３０に表示し（Ｓ１１２５）、ステップＳ１１０５の処理へ進む。一方、ステップＳ１１２３において、携帯情報端末２が従画面を表示すると決定した場合（Ｓ１１２３でＮＯ）、ＣＰＵ１０１はステップＳ１１０５の処理へ進む。
【０１５２】
ステップＳ１１０５において、携帯情報端末２の装着を検出しない（携帯情報端末２との通信状態が変わらない）と判別した場合（Ｓ１１０５でＮＯ）、ＣＰＵ１０１は、ドックコネクタ１９０からの携帯情報端末２の取外しを検出したか（画像形成装置１が携帯情報端末２と通信不可能な状態に変化したか）否かを判別する（Ｓ１１０７）。
【０１５３】
ステップＳ１１０７において、ドックコネクタ１９０からの携帯情報端末２の取外しを検出した（画像形成装置１が携帯情報端末２と通信不可能な状態に変化した）と判別した場合（Ｓ１１０７でＹＥＳ）、ＣＰＵ１０１は、操作パネル１３０に基本画面（初期画面）を表示し（Ｓ１１３１）、ステップＳ１１０５へ進む。一方、ステップＳ１１０７において、ドックコネクタ１９０からの携帯情報端末２の取外しを検出しない（画像形成装置１が携帯情報端末２と通信不可能な状態に変化しない）と判別した場合（Ｓ１１０７でＮＯ）、ＣＰＵ１０１は、携帯情報端末２が主画面を表示する場合に、携帯情報端末２のタッチパネル２２０を通じて、何らかの処理が要求されたか否かを判別する（ステップＳ１１０９）。
【０１５４】
ステップＳ１１０９において、何らかの処理が要求されたと判別した場合（ステップＳ１１０９でＹＥＳ）、ＣＰＵ１０１は、携帯情報端末２を通じて要求された処理を実行する（ステップＳ１１４１）。ステップＳ１１４１の処理は図９のステップＳ９４１の処理と同じである。携帯情報端末２を通じて要求された処理が終了した後で、ＣＰＵ１０１はステップＳ１１０３の処理へ進む。ステップＳ１１０９において、処理が要求されないと判別した場合（ステップＳ１１０９でＮＯ）、ＣＰＵ１０１は、操作パネル１３０上のキー群や表示部１３４を通じて、何らかの処理が要求されたか否かを判別する（Ｓ１１１１）。操作パネル１３０を通じて要求された処理とは、たとえばコピー処理や、各種の設定処理などである。
【０１５５】
ステップＳ１１１１において、何らかの処理が要求されたと判別した場合（ステップＳ１１１１でＹＥＳ）、ＣＰＵ１０１は、操作パネル１３０を通じて要求された処理を実行する（ステップＳ１１５１）。ステップＳ１１５１において、操作パネル１３０が主画面を表示する場合、ＣＰＵ１０１は、操作パネル１３０を通じて要求された処理を携帯情報端末２に通知してもよい。操作パネル１３０を通じて要求された処理が終了した後で、ＣＰＵ１０１はステップＳ１１０３の処理へ進む。ステップＳ１１１１において、処理が要求されないと判別した場合（ステップＳ１１１１でＮＯ）、ＣＰＵ１０１は、外部装置から何らかの処理が要求されたか否かを確認する（Ｓ１１１３）。外部装置から要求された処理とは、たとえば情報処理装置３から送信されたプリントジョブの処理や、ＮＶＲＡＭ１０４に記憶されている各種設定を変更する処理などである。
【０１５６】
ステップＳ１１１３において、何らかの処理が要求されたと判別した場合（ステップＳ１１１３でＹＥＳ）、ＣＰＵ１０１は、外部装置を通じて要求された処理を実行する（ステップＳ１１６１）。操作パネル１３０を通じて要求された処理が終了した後で、ＣＰＵ１０１はステップＳ１１０３の処理へ進む。ステップＳ１１１３において、処理が要求されないと判別した場合（ステップＳ１１１３でＮＯ）、ＣＰＵ１０１は、ステップＳ１１０５の処理へ進む。
【０１５７】
なお、本変形例における、携帯情報端末２の動作および画像処理システムの構成などについては、上述の場合と同様であるため、その説明は繰り返さない。
【０１５８】
［実施の形態の効果］
【０１５９】
上述の実施の形態によれば、携帯情報端末２が画像形成装置１と通信不可能な状態にある場合には、画像形成装置１の搭載機能の動作モードを設定するモード設定画面が操作パネル１３０に表示される。携帯情報端末２が画像形成装置１と通信可能な状態にある場合には、画像形成装置１の操作に関する画面であって互いに関連する画面が、携帯情報端末２と操作パネル１３０との各々に表示される。このため、操作パネル１３０と携帯情報端末２とが連動した表示を行うよう、ユーザーが指示する必要が無くなり、ユーザーの利便性を向上することができる。また、複数のユーザーが共有する画像形成装置１において、各ユーザーが保持する携帯情報端末２を画像形成装置１の操作パネルとして使用する場合、操作パネル１３０と携帯情報端末２とが連動した表示を行うよう、使用する度に各ユーザーが指示する必要がなくなる。
【０１６０】
携帯情報端末２を通じて選択を受け付けた項目に関連する情報を操作パネル１３０に表示する場合には、ユーザーは自分が所有する携帯情報端末２を用いて画像形成装置１を操作し、操作パネル１３０を通じて操作に関連する情報を確認することができる。
【０１６１】
操作パネル１３０を通じて選択を受け付けた項目に関連する情報を携帯情報端末２に表示する場合には、ユーザーは操作パネル１３０を通じて行った操作に関連する情報を、自分が所有する携帯情報端末２を通じて確認することができる。
【０１６２】
さらに、携帯情報端末２および操作パネル１３０のうちサイズまたは画素数が大きい方に主画面を表示することにより、ユーザーは携帯情報端末２および操作パネル１３０のうち見やすい方の画面を主画面とすることができる。
【０１６３】
［その他］
【０１６４】
携帯情報端末２または操作パネル１３０は、互いに関連する画面を表示すればよく、図１０〜図２３以外の画面を表示してもよい。たとえば携帯情報端末２のドックコネクタ２９０を画像形成装置１のドックコネクタ１９０と接続した場合に、携帯情報端末２には認証のためのユーザーＩＤおよびパスワードの入力を要求する画面を表示し、操作パネル１３０には図１６に示す登録ユーザーリスト５１を表示してもよい。また、携帯情報端末２および操作パネル１３０には同一の画面を表示してもよいし、互いに異なる画面を表示してもよい。
【０１６５】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピュータにより実行される。また、プログラムはインターネットなどの通信回線を介して、装置にダウンロードするようにしてもよい。
【０１６６】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１６７】
１，１−１〜１−ｎ  画像形成装置
２  携帯情報端末
３，３−１〜３−ｍ  情報処理装置
４，４ａ，４ｂ  ネットワーク
４ｃ  ネットワークケーブル
５  外部ネットワーク
１１〜１４  タブ
２１  文書リスト
２２ａ，２２ｂ，２３ａ〜２３ｅ，２４ａ，２４ｂ，２６ａ〜２６ｅ，２７ａ，２７ｂ，３２ａ，３２ｂ，３３ａ〜３３ｇ，３４ａ，３４ｂ，４２ａ，４２ｂ，５２，６２ａ〜６２ｆ，６３ａ，６３ｂ，７２ａ〜７２ｇ  キー
２５  プレビュー画像
３１  サムネイル表示領域
３５，４３，５３，６４，７３  詳細情報
４１  登録宛先表示領域
４４  同報リスト
５１  登録ユーザーリスト
６１  スキャンプレビュー画像
７１  ジョブリスト
８１ａ〜８１ｏ  タブ
８２  モード設定画面
８３  メッセージ
１００  制御部
１０１，２０１  ＣＰＵ
１０２，２０２  ＲＯＭ
１０３，２０３  ＲＡＭ
１０４  ＮＶＲＡＭ
１０５  時計ＩＣ
１１０，２１０  固定記憶装置
１２０  画像読取装置
１３０  操作パネル
１３１  テンキー
１３２  プリントキー
１３３  ログアウトキー
１３４  表示部
１３５  スタートキー
１３６  ストップキー
１４０  画像出力装置
１５０  プリンタコントローラ
１６０  ネットワークＩ／Ｆ
１７０  ワイヤレスＩ／Ｆ
１８０，２８０  短距離無線Ｉ／Ｆ
１９０，２９０  ドックコネクタ
２００  制御部
２２０  タッチパネル
２７０  ワイヤレスＬＡＮＩ／Ｆ
ＩＣ１〜ＩＣ５  アイコン
【図１】
0005849637.tif 000002
【図２】
0005849637.tif 000003
【図３】
0005849637.tif 000004
【図４】
0005849637.tif 000005
【図５】
0005849637.tif 000006
【図６】
0005849637.tif 000007
【図７】
0005849637.tif 000008
【図８】
0005849637.tif 000009
【図９】
0005849637.tif 000010
【図１０】
0005849637.tif 000011
【図１１】
0005849637.tif 000012
【図１２】
0005849637.tif 000013
【図１３】
0005849637.tif 000014
【図１４】
0005849637.tif 000015
【図１５】
0005849637.tif 000016
【図１６】
0005849637.tif 000017
【図１７】
0005849637.tif 000018
【図１８】
0005849637.tif 000019
【図１９】
0005849637.tif 000020
【図２０】
0005849637.tif 000021
【図２１】
0005849637.tif 000022
【図２２】
0005849637.tif 000023
【図２３】
0005849637.tif 000024
【図２４】
0005849637.tif 000025
【図２５】
0005849637.tif 000026
【図２６】
0005849637.tif 000027
【図２７】
0005849637.tif 000028